(57)【要約】複数の調節可能天蓋およびオーニング単一ロック・ポップアップは、各々が上下に調節されることが可能である調節可能リング天蓋および調節可能中心天蓋および調節可能周辺オーニングと、中心交差部と、折り畳み可能上部およびコーナーおよび側面トラスと、４つの上側支柱と、４つの上側コーナー交差部と、４つの下側コーナー交差部および４つのスリーブと、支柱センタリングクランプおよびダニ防止下向き歯および水排出溝と、４つの上側支柱の内側に挿入されている４つの下側支柱と、中心交差部に取り付けられている中心正方形支柱と、中心正方形支柱に取り付けられている中心内面ロックダブルニップルと、調節可能かつスライド可能に中心正方形支柱上にロックされ、それからロック解除される中心内面ロック調節可能リングとを備えている。
2021518503.tif 000002
【特許請求の範囲】
【請求項１】
調節可能中心天蓋・調節可能リング天蓋・調節可能周辺オーニング・単一中心内面正方形ロック・ポップアップであって、前記ポップアップは、
調節可能リング天蓋と、
中心交差部と、
折り畳み式上部トラスであって、前記折り畳み式上部トラスは、それぞれ、前記調節可能リング天蓋に取り付けられ、それぞれ、前記中心交差部に旋回可能にボルト留めされている、折り畳み式上部トラスと、
上部トラスコネクタであって、前記上部トラスコネクタは、それぞれ、前記折り畳み式上部トラスに旋回可能にボルト留めされている、上部トラスコネクタと、
折り畳み式コーナートラスであって、前記折り畳み式コーナートラスは、それぞれ、前記折り畳み式上部トラスに旋回可能にボルト留めされている、折り畳み式コーナートラスと、
折り畳み式側面トラスであって、前記折り畳み式側面は、それぞれ、互いに旋回可能にボルト留めされている、折り畳み式側面トラスと、
４つの上側コーナー交差部であって、前記４つの上側コーナー交差部は、それぞれ、前記折り畳み式上部トラスに旋回可能にボルト留めされ、それぞれ、前記折り畳み式側面トラスに旋回可能にボルト留めされている、４つの上側コーナー交差部と、
４つの上側支柱であって、前記４つの上側支柱は、それぞれ、前記４つの上側コーナー交差部に取り付けられ、前記４つの上側支柱は、底部端を有する、４つの上側支柱と、
４つの下側コーナー交差部であって、前記４つの下側コーナー交差部は、それぞれ、前記折り畳み式コーナートラスに旋回可能にボルト留めされ、それぞれ、前記折り畳み式側面トラスに旋回可能にボルト留めされ、それぞれ、前記４つの上側支柱上で旋回可能にスライドさせられる、４つの下側コーナー交差部と、
４つのスリーブであって、前記４つのスリーブは、それぞれ、前記４つの上側支柱の前記底部端上でスライドさせられる、４つのスリーブと、
支柱センタリングクランプであって、前記支柱センタリングクランプは、それぞれ、前記４つのスリーブに成形されている、支柱センタリングクランプと、
ダニ防止下向き歯であって、前記ダニ防止下向き歯は、それぞれ、前記４つのスリーブに成形されている、ダニ防止下向き歯と、
水排出溝であって、前記水排出溝は、それぞれ、前記４つのスリーブに成形されている、水排出溝と、
４つの支柱高さ調節ばね負荷ロッカであって、前記４つの支柱高さ調節ばね負荷ロッカは、それぞれ、前記４つのスリーブに取り付けられている、４つの支柱高さ調節ばね負荷ロッカと、
４つの支柱高さ調節ニップルであって、前記４つの支柱高さ調節ニップルは、それぞれ、前記４つの支柱高さ調節ばね負荷ロッカに成形されている、４つの支柱高さ調節ニップルと、
４つの下側支柱であって、それぞれ、前記４つの上側支柱の内側にスライド可能に挿入されている、４つの下側支柱と、
支柱高さ調節孔であって、前記支柱高さ調節孔は、それぞれ、前記４つの上側支柱および前記４つの下側支柱において形成されている、支柱高さ調節孔と、
調節可能中心天蓋と、
中心正方形支柱であって、前記中心正方形支柱は、前記中心交差部に取り付けられている、中心正方形支柱と、
中心支柱孔であって、前記中心支柱孔は、それぞれ、前記中心正方形支柱において形成されている、中心支柱孔と、
中心内面ロックダブルＣ形ばねであって、前記中心内面ロックダブルＣ形ばねは、前記中心正方形支柱の内側に挿入されている、中心内面ロックダブルＣ形ばねと、
中心内面ロックダブルニップルであって、前記中心内面ロックダブルニップルは、それぞれ、前記中心内面ロックダブルＣ形ばねに成形されている、中心内面ロックダブルニップルと、
中心内面ロック調節可能リングであって、前記中心内面ロック調節可能リングは、調節可能かつスライド可能に前記中心正方形支柱上にロックされ、それからロック解除され、前記中心内面ロック調節可能リングは、外面と、内面と、２つの端部とを有する、中心内面ロック調節可能リングと、
リードインファンネルであって、前記リードインファンネルは、それぞれ、前記中心内面ロック調節可能リングの前記２つの端部のうちの１つに成形されている、リードインファンネルと、
２つのボタントンネルであって、前記２つのボタントンネルは、それぞれ、前記中心内面ロック調節可能リングの前記外面から前記内面まで成形されている、２つのボタントンネルと、
２つのボタンであって、前記２つのボタンは、それぞれ、前記２つのボタントンネルの中にスナップ嵌めされている、２つのボタンと、
折り畳み式調節可能中心トラスであって、前記折り畳み式調節可能中心トラスは、それぞれ、前記折り畳み式上部トラスに旋回可能にボルト留めされ、それぞれ、前記調節可能中心天蓋に取り付けられ、それぞれ、前記中心内面ロック調節可能リングに旋回可能にボルト留めされている、折り畳み式調節可能中心トラスと、
調節可能周辺オーニングと、
折り畳み式調節可能オーニングトラスであって、前記折り畳み式調節可能オーニングトラスは、それぞれ、前記上部トラスコネクタまたは前記折り畳み式上部トラスに旋回可能にボルト留めされ、それぞれ、前記調節可能周辺オーニングに取り付けられている、折り畳み式調節可能オーニングトラスと、
回転可能オーニングトラススリーブであって、前記回転可能オーニングトラススリーブは、それぞれ、前記４つの上側支柱に旋回可能に取り付けられ、それぞれ、前記折り畳み式調節可能オーニングトラス上でスライド可能にスライドさせられる、回転可能オーニングトラススリーブと、
フックであって、前記フックは、それぞれ、前記４つの下側支柱に溶接または成形されている、フックと、
ロープおよび杭孔であって、前記ロープおよび杭孔は、それぞれ、前記フックにおいて形成されている、ロープおよび杭孔と、
ロープであって、前記ロープは、それぞれ、前記ロープおよび杭孔のうちの少なくとも１つに通され、それぞれ、前記４つの下側支柱または前記フックのうちの少なくとも１つに引っ掛けられる、ロープと
を備え、
前記調節可能リング天蓋は、風、煙、および光を前記ポップアップの内外に向け直すためのものであり、
前記調節可能中心天蓋は、風、煙、および光を前記ポップアップの内外に向け直す、ためのものであり、
前記調節可能周辺オーニングは、風、煙、および光を前記ポップアップの内外に向け直すためのものであり、
前記支柱センタリングクランプは、それぞれ、前記４つの上側支柱の内側で前記４つの下側支柱を中心に据えるためのものであり、
前記ダニ防止下向き歯は、それぞれ、前記４つの上側支柱および前記４つの下側支柱の内側にダニが入ることを防止するためのものであり、
前記水排出溝は、それぞれ、水が前記４つの上側支柱および前記４つの下側支柱から外に排出されることを可能にするためのものであり、
前記中心内面ロック調節可能リングは、
同じ平面上で、前記中心正方形支柱および前記中心内面ロックダブルニップルを前記中心内面ロック調節可能リングおよび前記折り畳み式調節可能中心トラスにロックし、およびそれらからロック解除し、
前記調節可能リング天蓋および前記調節可能中心天蓋および前記調節可能周辺オーニングを上昇および下降させ、
前記ポップアップが時計回りまたは反時計回りに半径方向に捻じれることを防止し、
前記ポップアップが折り畳まれた後、または展開された後、前記ポップアップをロックおよびロック解除するためのものであり、
前記中心正方形支柱は、
前記ポップアップが時計回りまたは反時計回りに半径方向に捻じれることを防止するためのものである、調節可能中心天蓋・調節可能リング天蓋・調節可能周辺オーニング・単一中心内面正方形ロック・ポップアップ。
【請求項２】
滑車輪アームであって、前記滑車輪アームは、それぞれ、前記フックに溶接または成形されている、滑車輪アームと、
滑車輪車軸であって、前記滑車輪車軸は、それぞれ、前記滑車輪アームに、かつそれらの間に取り付けられている、滑車輪車軸と、
滑車輪であって、前記滑車輪は、それぞれ、前記滑車輪車軸上で回転可能にスライドさせられる、滑車輪と
をさらに備え、
前記滑車輪は、それぞれ、前記ロープをかけるための滑車として機能し、前記ポップアップが地面に沿って転がされることを可能にするための車輪として機能し、前記ロープおよび杭孔と協働し、前記４つの下側支柱を一緒に縛り、前記４つの下側支柱が外向きに広がることを防止するためのものである、請求項１に記載の調節可能中心天蓋・調節可能リング天蓋・調節可能周辺オーニング・単一中心内面正方形ロック・ポップアップ。
【請求項３】
４つのコーナー交差部止め具をさらに備え、
前記４つのコーナー交差部止め具は、それぞれ、前記４つの下側コーナー交差部の上方で前記４つの上側支柱に取り付けられ、
前記４つのコーナー交差部止め具は、それぞれ、前記４つの下側コーナー交差部が上向きにスライドすることを防止するためのものである、請求項１に記載の調節可能中心天蓋・調節可能リング天蓋・調節可能周辺オーニング・単一中心内面正方形ロック・ポップアップ。
【請求項４】
杭をさらに備え、
前記杭は、それぞれ、前記ロープおよび杭孔を通して打ち込まれ、
前記杭は、それぞれ、前記ポップアップを前記地面に取り付けるためのものである、請求項１に記載の調節可能中心天蓋・調節可能リング天蓋・調節可能周辺オーニング・単一中心内面正方形ロック・ポップアップ。
【請求項５】
前記調節可能周辺オーニングは、正方形リング形状に形成され、
前記調節可能リング天蓋は、正方形リング形状に形成されている、請求項１に記載の調節可能中心天蓋・調節可能リング天蓋・調節可能周辺オーニング・単一中心内面正方形ロック・ポップアップ。
【請求項６】
単一中心内面正方形ロック・ポップアップであって、前記ポップアップは、
調節可能リング天蓋と、
中心交差部と、
折り畳み式上部トラスであって、前記折り畳み式上部トラスは、それぞれ、前記調節可能リング天蓋に取り付けられ、それぞれ、前記中心交差部に旋回可能にボルト留めされている、折り畳み式上部トラスと、
上部トラスコネクタであって、前記上部トラスコネクタは、それぞれ、前記折り畳み式上部トラスに旋回可能にボルト留めされている、上部トラスコネクタと、
折り畳み式コーナートラスであって、前記折り畳み式コーナートラスは、それぞれ、前記折り畳み式上部トラスに旋回可能にボルト留めされている、折り畳み式コーナートラスと、
折り畳み式側面トラスであって、前記折り畳み式側面は、それぞれ、互いに旋回可能にボルト留めされている、折り畳み式側面トラスと、
４つの上側コーナー交差部であって、前記４つの上側コーナー交差部は、それぞれ、前記折り畳み式上部トラスに旋回可能にボルト留めされ、それぞれ、前記折り畳み式側面トラスに旋回可能にボルト留めされている、４つの上側コーナー交差部と、
４つの上側支柱であって、前記４つの上側支柱は、それぞれ、前記４つの上側コーナー交差部に取り付けられ、前記４つの上側支柱は、底部端を有する、４つの上側支柱と、
４つの下側コーナー交差部であって、前記４つの下側コーナー交差部は、それぞれ、前記折り畳み式コーナートラスに旋回可能にボルト留めされ、それぞれ、前記折り畳み式側面トラスに旋回可能にボルト留めされ、それぞれ、前記４つの上側支柱上で旋回可能にスライドさせられる、４つの下側コーナー交差部と、
４つのスリーブであって、前記４つのスリーブは、それぞれ、前記４つの上側支柱の前記底部端上でスライドさせられる、４つのスリーブと、
支柱センタリングクランプであって、前記支柱センタリングクランプは、それぞれ、前記４つのスリーブに成形されている、支柱センタリングクランプと、
４つの支柱高さ調節ばね負荷ロッカであって、前記４つの支柱高さ調節ばね負荷ロッカは、それぞれ、前記４つのスリーブに取り付けられている、４つの支柱高さ調節ばね負荷ロッカと、
４つの支柱高さ調節ニップルであって、前記４つの支柱高さ調節ニップルは、それぞれ、前記４つの支柱高さ調節ばね負荷ロッカに成形されている、４つの支柱高さ調節ニップルと、
４つの下側支柱であって、それぞれ、前記４つの上側支柱の内側にスライド可能に挿入されている、４つの下側支柱と、
支柱高さ調節孔であって、前記支柱高さ調節孔は、それぞれ、前記４つの上側支柱および前記４つの下側支柱において形成されている、支柱高さ調節孔と、
調節可能中心天蓋と、
中心正方形支柱であって、前記中心正方形支柱は、前記中心交差部に取り付けられている、中心正方形支柱と、
中心支柱孔であって、前記中心支柱孔は、それぞれ、前記中心正方形支柱において形成されている、中心支柱孔と、
中心ロックばねであって、前記中心ロックばねは、前記中心正方形支柱の内側に挿入されている、中心ロックばねと、
中心ロックニップルであって、前記中心ロックニップルは、それぞれ、前記中心ロックばねに成形されている、中心ロックニップルと、
中心ロックリングであって、前記中心ロックリングは、調節可能かつスライド可能に前記中心正方形支柱上にロックされ、それからロック解除され、前記中心ロックリングは、外面と、内面と、２つの端部とを有する、中心ロックリングと、
２つのボタントンネルであって、前記２つのボタントンネルは、それぞれ、前記中心ロックリングの前記外面から前記内面まで成形されている、２つのボタントンネルと、
２つのボタンであって、前記２つのボタンは、それぞれ、前記２つのボタントンネルの中にスナップ嵌めされている、２つのボタンと、
折り畳み式調節可能中心トラスであって、前記折り畳み式調節可能中心トラスは、それぞれ、前記折り畳み式上部トラスに旋回可能にボルト留めされ、それぞれ、前記中心ロックリングに旋回可能にボルト留めされ、それぞれ、前記調節可能中心天蓋に取り付けられている、折り畳み式調節可能中心トラスと、
調節可能周辺オーニングと、
折り畳み式調節可能オーニングトラスであって、前記折り畳み式調節可能オーニングトラスは、それぞれ、前記上部トラスコネクタまたは前記折り畳み式上部トラスに旋回可能にボルト留めされ、それぞれ、前記調節可能周辺オーニングに取り付けられている、折り畳み式調節可能オーニングトラスと、
回転可能オーニングトラススリーブであって、前記回転可能オーニングトラススリーブは、それぞれ、前記４つの上側支柱に旋回可能に取り付けられ、それぞれ、前記折り畳み式調節可能オーニングトラス上でスライド可能にスライドさせられる、回転可能オーニングトラススリーブと、
フックであって、前記フックは、それぞれ、前記４つの下側支柱に溶接または成形されている、フックと、
を備え、
前記調節可能リング天蓋は、風、煙、および光を前記ポップアップの内外に向け直すためのものであり、
前記調節可能中心天蓋は、風、煙、および光を前記ポップアップの内外に向け直す、ためのものであり、
前記調節可能周辺オーニングは、風、煙、および光を前記ポップアップの内外に向け直すためのものであり、
前記支柱センタリングクランプは、それぞれ、前記４つの上側支柱の内側で前記４つの下側支柱を中心に据えるためのものであり、
前記中心ロックリングは、
同じ平面上で、前記中心正方形支柱および前記中心ロックニップルを前記中心ロックリングおよび前記折り畳み式調節可能中心トラスにロックし、および、それらからロック解除し、
前記調節可能リング天蓋および前記調節可能中心天蓋および前記調節可能周辺オーニングを上昇および下降させ、
前記ポップアップが時計回りまたは反時計回りに半径方向に捻じれることを防止し、
前記ポップアップが折り畳まれた後、または展開された後、前記ポップアップをロックおよびロック解除するためのものであり、
前記中心正方形支柱は、前記ポップアップが時計回りまたは反時計回りに半径方向に捻じれることを防止するためのものである、
単一中心内面正方形ロック・ポップアップ。
【請求項７】
滑車輪アームであって、前記滑車輪アームは、それぞれ、前記フックに溶接または成形されている、滑車輪アームと、
滑車輪車軸であって、前記滑車輪車軸は、それぞれ、前記滑車輪アームに、かつそれらの間に取り付けられている、滑車輪車軸と、
滑車輪であって、前記滑車は、それぞれ、前記滑車輪車軸上で回転可能にスライドさせられる滑車輪と
をさらに備え、
前記滑車輪は、それぞれ、
前記ロープをかけるための滑車として機能し、
前記ポップアップが前記地面に沿って転がされることを可能にするための車輪として機能し、
前記ロープおよび杭孔と協働し、前記４つの下側支柱を一緒に縛り、前記４つの下側支柱が外向きに広がることを防止するためのものである、請求項６に記載の単一中心内面正方形ロック・ポップアップ。
【請求項８】
４つのコーナー交差部止め具をさらに備え、
前記４つのコーナー交差部止め具は、それぞれ、前記４つの下側コーナー交差部の上方で前記４つの上側支柱に取り付けられ、
前記４つのコーナー交差部止め具は、それぞれ、前記４つの下側コーナー交差部が上向きにスライドすることを防止するためのものである、請求項６に記載の単一中心内面正方形ロック・ポップアップ。
【請求項９】
杭をさらに備え、
前記杭は、それぞれ、前記ロープおよび杭孔を通して打ち込まれ、
前記杭は、それぞれ、前記ポップアップを前記地面に取り付けるためのものである、請求項６に記載の単一中心内面正方形ロック・ポップアップ。
【請求項１０】
前記調節可能周辺オーニングは、正方形リング形状に形成され、
前記調節可能リング天蓋は、正方形リング形状に形成されている、請求項６に記載の単一中心内面正方形ロック・ポップアップ。
【請求項１１】
複数調節可能天蓋中心ロック・ポップアップであって、前記ポップアップは、
調節可能リング天蓋と、
中心交差部と、
折り畳み式上部トラスであって、前記折り畳み式上部トラスは、それぞれ、前記調節可能リング天蓋に取り付けられ、それぞれ、前記中心交差部に旋回可能にボルト留めされている、折り畳み式上部トラスと、
上部トラスコネクタであって、前記上部トラスコネクタは、それぞれ、前記折り畳み式上部トラスに旋回可能にボルト留めされている、上部トラスコネクタと、
折り畳み式コーナートラスであって、前記折り畳み式コーナートラスは、それぞれ、前記折り畳み式上部トラスに旋回可能にボルト留めされている、折り畳み式コーナートラスと、
折り畳み式側面トラスであって、前記折り畳み式側面トラスは、それぞれ、互いに旋回可能にボルト留めされている、折り畳み式側面トラスと、
４つの上側コーナー交差部であって、前記４つの上側コーナー交差部は、それぞれ、前記折り畳み式上部トラスに旋回可能にボルト留めされ、それぞれ、前記折り畳み式側面トラスに旋回可能にボルト留めされている、４つの上側コーナー交差部と、
４つの上側支柱であって、前記４つの上側支柱は、それぞれ、前記４つの上側コーナー交差部に取り付けられ、前記４つの上側支柱は、底部端を有する、４つの上側支柱と、
４つの下側コーナー交差部であって、前記４つの下側コーナー交差部は、それぞれ、前記折り畳み式コーナートラスに旋回可能にボルト留めされ、それぞれ、前記折り畳み式側面トラスに旋回可能にボルト留めされ、それぞれ、前記４つの上側支柱上で旋回可能にスライドさせられる、４つの下側コーナー交差部と、
４つのスリーブであって、前記４つのスリーブは、それぞれ、前記４つの上側支柱の前記底部端上でスライドさせられる、４つのスリーブと、
４つの支柱高さ調節ばね負荷ロッカであって、前記４つの支柱高さ調節ばね負荷ロッカは、それぞれ、前記４つのスリーブに取り付けられている、４つの支柱高さ調節ばね負荷ロッカと、
４つの支柱高さ調節ニップルであって、前記４つの支柱高さ調節ニップルは、それぞれ、前記４つの支柱高さ調節ばね負荷ロッカに成形されている、４つの支柱高さ調節ニップルと、
４つの下側支柱であって、前記４つの下側支柱は、それぞれ、前記４つの上側支柱の内側にスライド可能に挿入されている、４つの下側支柱と、
支柱高さ調節孔であって、前記支柱高さ調節孔は、それぞれ、前記４つの上側支柱および前記４つの下側支柱において形成されている、支柱高さ調節孔と、
調節可能中心天蓋と、
中心正方形支柱であって、前記中心正方形支柱は、前記中心交差部に取り付けられている、中心正方形支柱と、
中心支柱孔であって、前記中心支柱孔は、それぞれ、前記中心正方形支柱において形成されている、中心支柱孔と、
中心ロックばねであって、前記中心ロックばねは、前記中心正方形支柱の内側に挿入されている、中心ロックばねと、
中心ロックニップルであって、前記中心ロックニップルは、それぞれ、前記中心ロックばねに成形されている、中心ロックニップルと、
中心ロックリングであって、前記中心ロックリングは、
調節可能かつスライド可能に前記中心正方形支柱上にロックされ、それからロック解除され、
前記中心ロックリングは、外面と、内面と、２つの端部とを有する、中心ロックリングと、
２つのボタンであって、前記２つのボタンは、それぞれ、前記２つのボタントンネルに取り付けられている、２つのボタンと、
折り畳み式調節可能中心トラスであって、前記折り畳み式調節可能中心トラスは、それぞれ、前記折り畳み式上部トラスに旋回可能にボルト留めされ、それぞれ、前記中心ロックリングに旋回可能にボルト留めされ、それぞれ、前記調節可能中心天蓋に取り付けられている、折り畳み式調節可能中心トラスと、
フックであって、前記フックは、それぞれ、前記４つの下側支柱に溶接または成形されているフックと
を備えている、複数調節可能天蓋中心ロック・ポップアップ。
【請求項１２】
滑車輪アームであって、前記滑車輪アームは、それぞれ、前記フックに溶接または成形されている、滑車輪アームと、
滑車輪車軸であって、前記滑車輪車軸は、それぞれ、前記滑車輪アームに、かつその間に取り付けられている、滑車輪車軸と、
滑車輪であって、前記滑車輪は、それぞれ、前記滑車輪車軸上で回転可能にスライドさせられる、滑車輪と
をさらに備え、
前記滑車輪は、それぞれ、
前記ロープをかけるための滑車として機能し、
前記ポップアップが前記地面に沿って転がされることを可能にするための車輪として機能し、
前記ロープおよび杭孔と協働し、前記４つの下側支柱を一緒に縛り、前記４つの下側支柱が外向きに広がることを防止するためのものである、請求項１１に記載の複数調節可能天蓋中心ロック・ポップアップ。
【請求項１３】
４つのコーナー交差部止め具をさらに備え、
前記４つのコーナー交差部止め具は、それぞれ、前記４つの下側コーナー交差部の上方で前記４つの上側支柱に取り付けられ、
前記４つのコーナー交差部止め具は、それぞれ、前記４つの下側コーナー交差部が上向きにスライドすることを防止するためのものである、請求項１１に記載の複数調節可能天蓋中心ロック・ポップアップ。
【請求項１４】
杭をさらに備え、
前記杭は、それぞれ、前記ロープおよび杭孔を通して打ち込まれ、
前記杭は、それぞれ、前記ポップアップを前記地面に取り付けるためのものである、請求項１１に記載の複数調節可能天蓋中心ロック・ポップアップ。
【請求項１５】
前記調節可能リング天蓋は、正方形リング形状に形成されている、請求項１１に記載の複数調節可能天蓋中心ロック・ポップアップ。
【発明の詳細な説明】
【技術分野】
【０００１】
本発明は、生産が安価であり、１つのユニットとして出荷することが容易であり、いかなる組立も要求せず、迅速かつ容易に展開され得る折り畳み可能ポップアップに関する。特に、本発明は、以下を備えている調節可能中心天蓋・調節可能リング天蓋・調節可能周辺オーニング・単一中心内面正方形ロック・ポップアップに関する。
１）支柱センタリング・ダニ防止・水排出・風および煙向け直し・調節可能リング天蓋システム
２）中心内面ロック・風および煙向け直し・調節可能中心天蓋システム
３）風および煙向け直し・調節可能周辺オーニングシステム
４）多機能フック、ロープ、杭、滑車輪システム
【背景技術】
【０００２】
いくつかの折り畳み可能ポップアップが、導入されている。
【０００３】
１９３９年３月２８日にＭａｘ  Ｅ．  Ｇｏｔｔｌｉｅｂに発行された米国特許第２，１５１，９０８号（特許文献１）は、チャペルテントに関し、特に、葬儀中に墓地で使用される折り畳みタイプの折り畳み可能テントに関する。発明の目的は、言及される目的のために好適なシェルタテントを提供することであり、シェルタテントは、容易に輸送されるためにコンパクトに折り畳まれるが、補助的で面倒なアンカを用いることなくあらゆる種類の悪天候に耐えるために十分に頑丈であろう。
【０００４】
１９４１年１２月９日にＤｗｉｇｈｔ  Ｇｏｏｄｍａｎに発行された米国特許第２，２６５，４７９号は、主として、チャペルテントに関するが、それは、売店のための一時的シェルタにおいて、およびディスプレイテント等としても明らかに有用である。発明の目的は、テントフレームの提供にあり、テントフレームは、輸送のためにコンパクトな様式で容易に折り畳まれ得るが、あらゆる種類の悪天候にもかかわらず設営条件を維持するために十分に強い。
【０００５】
１９６３年４月１６日にＥｌｏｎ  Ｄ．  ＭｃＤｏｎｏｕｇｈに発行された米国特許第３，０８５，５８６号は、折り畳み可能フレームおよびフレームのための可撓性カバーを採用するタイプのポータブル構造に言及している。この発明の目的は、大きい面積のための封入体を形成するように適合された折り畳み可能構造を提供することであり、その構造は、経済的かつ軽量構造体であり、コンパクトな保管および輸送のために容易に折り畳まれ、分解され得る。
【０００６】
１９６５年８月１０日にＨｅｒｍａｎ  Ａ．  Ｇｌｉｄｅｗｅｌｌに発行された米国特許第３，１９９，５１８号は、好適なカバー材料がその上に設置されると、シェルタとして採用され得る折り畳み可能な折り畳み式フレームを説明している。デバイスは、主として、ハンティング用ブラインドを提供するために、その上にカモフラージュ材料が設置され得る折り畳み可能フレームとして意図されるが、当然ながら、天候に対する防護を提供するために、その上に任意の所望のカバー材料（ターポリン等）が設置され得るフレームとして採用され得る。
【０００７】
１９８８年１０月２５日にＪａｍｅｓ  Ｐ．  Ｌｙｎｃｈに発行された米国特許第４，７７９，６３５号は、フレームワークユニットおよび可撓性カバーを提供され、それらを含む天蓋構造を実証している。フレームワークユニットは、複数の直立コーナー部材と、複数の屋根支持部材とによって形成され、屋根支持部材は、コーナー部材の上部端において旋回可能に接続され、建てられた位置において、それらが互いに旋回可能に接続される中心頂点まで上向きかつ内向きに延びている。
【０００８】
１９８９年１２月１２日にＪａｍｅｓ  Ｐ．  Ｌｙｎｃｈに発行された米国特許第４，８８５，８９１号は、折り畳み可能天蓋構造において利用され得るもの等の拡張可能シザーズトラスに関し、拡張可能シザーズトラスは、トラスセルを形成するために旋回可能に接続される部材を有する。補強部材は、Ｚ様構成を形成するように連結部分によって接合される第１および第２の端部部分を有する。
【０００９】
１９９１年７月３０日にＡｌｌａｎ  Ｄ．  Ｂｏｒｔｌｅｓに発行された米国特許第５，０３５，２５３号は、テント天蓋から流出水を収集するための雨水流出オーニングを実証している。織物が、天蓋フレームに取り付けられた外向きに延びているアーム間で引き伸ばされ、アームに固定される。織物は、天蓋の縁に沿って排水溝または樋を形成し、排水溝または樋は、天蓋から流出水を受け取り、天蓋の入口および出口エリアから離れるように流出水を向ける。
【００１０】
１９９３年９月１４日にＪａｍｅｓ  Ｐ．  Ｌｙｎｃｈに発行された米国特許第５，２４４，００１号は、拡張可能フレームワーク構造を説明しており、拡張可能フレームワーク構造は、保管のために折り畳まれ、使用のために拡張され、特に、カバーがフレームワークの上に設置されたときに天蓋として拡張され得る。フレームワークは、複数の直立支持体と、直立支持体の隣接するものを相互接続する複数の縁シザーズアセンブリとを含む。
【００１１】
１９９６年４月３０日にＭａｒｋ  Ｃ．  Ｃａｒｔｅｒに発行された米国特許第５，５１１，５７２号は、折り畳み可能シェルタを説明しており、それは、トラスおよび天蓋フレームワークを含み、トラスおよび天蓋フレームワークは、可撓性折り畳み可能天蓋が上昇位置と下げられた位置との間で移動させられることを可能にする。折り畳み可能シェルタは、可撓性ポールを支持する少なくとも３つの脚部を含み、可撓性ポールは、脚部の上部に除去可能に搭載され、天蓋のフレームワークを形成する。連結部材のＸ形トラス対が、隣接する脚部間においてシェルタの各側で脚部の各々に接続される。
【００１２】
１９９７年６月１７日にＴｏｎｙ  Ｍ．  Ｌ．  Ｔｓａｉに発行された米国特許第５，６３８，８５３号は、４つのポールを含むテント構造を実証し、４つのポールは、正方形構造を形成する４つのシザーズタイプ連結部と４つの中間旋回接続部材とによって相互接続される。各ポールは、固定コネクタと、スライドコネクタとを備えている。
【００１３】
２０００年１１月７日にＴｈｅｏｄｏｒｅ  Ｒ．  Ｚｅｉｇｌｅｒに発行された米国特許第６，１４１，９３４号は、少なくとも３つの旋回可能に取り付けられる支材対を含む屋根アセンブリを含む折り畳みフレームシステムを描写しており、少なくとも３つの旋回可能に取り付けられる支材対の隣接する対は、屋根アセンブリの少なくとも３つのコーナーを画定する。屋根アセンブリは、少なくとも３つの支材対の支材が互いに平行に配置される屋根アセンブリ閉鎖位置と、少なくとも３つの支材対の支材が非平行位置にロックされ、少なくとも３つの支材対の各支材対の支材の端部が長方形を画定する屋根アセンブリ開放位置との間で移動可能である。
【００１４】
２００１年９月４日にＦｅｎｇｃｈｕｎ  Ｃｈｅｎに発行された米国特許第６，２８３，１３６号は、折り畳み可能テントに言及し、折り畳み可能テントは、テントの上部における上部接続手段；複数の直立脚部；各直立脚部上でスライド可能に受け取られるスライド部；上部接続手段に旋回可能に接続される上側屋根支持バー；下側屋根支持バーを備え、下側屋根支持バーの各々は、そのそれぞれの上側屋根支持バーに一方の端部において接続され、そのそれぞれの直立脚部の上部に他方の端部において接続される。
【００１５】
２００７年２月２０日にＭａｒｋ  Ｃ．  Ｃａｒｔｅｒに発行された米国特許第７，１７８，５４２号は、軽量建て方可能天蓋シェルタを実証し、それは、連結部材の伸縮可能外周アセンブリによって一緒に接続される複数の脚部を含む。一実施形態において、屋根構造は、ポール部材によって形成され、ポール部材は、脚部の上端に旋回可能に搭載され、シェルタを横断して延び、下げられた位置と持ち上げられた上向きアーチ状位置との間で移動可能である。
【００１６】
２０１０年１１月２３日にＭａｒｋ  Ｃ．  Ｃａｒｔｅｒに発行された米国特許第７，８３６，９０７号は、迅速に建て方可能なドームシェルタに言及しており、それは、連結部材が隣接する脚部間に接続される伸縮可能外周トラスアセンブリと、連結部材の中心トラスアセンブリと、屋根フレームワークとを含み、屋根フレームワークは、湾曲した上側および下側ピークトラス部材の対を含み、下げられた折り畳まれた構成と持ち上げられた上向きアーチ状の位置との間で移動可能である。
【００１７】
２０１３年４月１６日にＢｕｍｊｕｎ  Ｐａｒｋに発行された米国特許第８，４１８，７１１号は、折り畳み可能天蓋支持体を実証しており、それは、天蓋を支持するための梁を含み、各梁は、梁を形成するために一緒に結合された複数の細長い梁セグメントを有する。セグメント結合器が、第１の梁セグメントを第２の梁セグメントに旋回可能に結合することを提供する。セグメントロックアセンブリが、第２の梁セグメントに対して第１の梁セグメントを選択的に固定するために適合される。
【００１８】
２０１４年７月１５日にＢｕｍｊｕｎ  Ｐａｒｋに発行された米国特許第８，７７６，８１５号は、脚部と、トラスシステムと、カバーと、カバー支持ロッドと、搭載ブラケットとを含む折り畳み可能シェルタアセンブリに関する。脚部の各々は、上端と、下端とを有する。トラスシステムは、脚部の各対を一緒に連結し、基部外周を画定するように構成される。
【００１９】
２０１６年１２月２７日にＪａｃｋ  Ｂ．  Ｌｏｖｌｅｙ，ＩＩに発行された米国特許第９，５２８，２９２号は、外周フレーム部分と、中心フレーム部分と、複数の脚部とを有するフレームアセンブリを含む天蓋に言及している。フレームアセンブリは、１つ以上のオーバーハングフレーム部分も含み、それらの各々は、主要オーバーハングフレーム部材と、支材とを含むことができる。各オーバーハングフレーム部分は、フレームアセンブリの関連付けられるコーナーから斜めに延びていることができる。
【００２０】
２０１７年１月３１日にＤａｖｉｄ  Ｌｅｗｉｓ  Ｈｕｎｔに発行された米国特許第９，５５６，６３９号は、本明細書に開示されるポータブルシェルタ骨組みシステムに言及している。ポータブルシェルタ骨組みシステムは、複数のコーナー支持部材と、複数の交差梁部材とを含み、交差梁部材の各々は、ツールの使用なしに複数のコーナー支持部材のうちの対間に接続されるように構成される。
【００２１】
２０１７年６月２０日にＪａｃｋ  Ｂ  Ｌｏｖｌｅｙ，ＩＩに発行された米国特許第９，６８３，３８７号は、特に、連結点の周りに曲げ力を受けたときの増加した構造完全性のための天蓋シェルタ連結点に関する。天蓋シェルタ連結点は、２つの交差部材間の増加させられた重複距離、隣接する交差部材間の低減させられた間隔、および／または、２つの交差部材間の不整合角度を低減させるための交差部材の端部の周りに位置する延長特徴を含むことができる。
【００２２】
２０１２年１０月３０日にＪａｃｋ  Ｂ  Ｌｏｖｌｅｙ，ＩＩに発行された米国特許第Ｄ６７０００３号は、天蓋のための装飾的設計を描写している。
【００２３】
２０１７年４月２５日にＥｌｌｅｎ  Ｈａｓｓｍａｎに発行された米国特許第Ｄ７８５２０１号は、ガゼーボ天蓋のための装飾的設計を描写している。
【００２４】
２００６年１１月３０日に公開されたＷｅｉｄａｎ  Ｗｕへの米国公開第２００６０２６６４０１号は、折り畳み可能扉フレームを伴うターポリンシェルタに関し、折り畳み可能扉フレームは、扉フレームを含み、扉フレームの下端は、基部に接続され、上端は、コーナー接合部および交差梁と接続され、扉フレームが少なくとも３つの直立ポールを含む点において特徴付けられ、少なくとも１組のｘシザーズ部材が、中間直立ポールと各側直立ポールとの間に配列され、該シザーズは、それらの中間部分が一緒に互いにヒンジ接続された２つの交差ロッドから成る。
【００２５】
２０１１年１２月２２日に公開されたＯｌｉｖｅｒ  Ｍａへの米国公開第２０１１０３０８５５９号は、シェルタに関し、シェルタは、シェルタの支持支柱上に搭載されたスライド部と支材機構とを含み、それらは、シェルタがその折り畳まれた状態から拡張されるとき、自動的に作動し、支持支柱の側から広がる。支材機構は、支持支柱のコーナーによって画定されるシェルタの外周の全てまたは一部から外側に延びている庇のための支持を提供する。
【００２６】
（従来技術の不利点）
従来技術は、以下のように、折り畳み可能ポップアップに関連付けられる多くの問題を解決することができていない。
【００２７】
１）いかなる従来技術も、調節可能リング天蓋１０２と、調節可能中心天蓋１２４と、調節可能周辺オーニング１３５とを有するいかなる折り畳み可能ポップアップに言及も、開示もしていない。したがって、従来技術の折り畳み可能ポップアップは、
ａ）日よけを占有者に提供し、日焼けを防止することができない。
ｂ）調節可能中心天蓋・調節可能リング天蓋・調節可能周辺オーニング・単一中心内面正方形ロック・ポップアップの内外への空気流を増加させるために上下に調節され、占有者を涼しい状態に保つことができない。
ｃ）調節可能中心天蓋・調節可能リング天蓋・調節可能周辺オーニング・単一中心内面正方形ロック・ポップアップから外への空気流に役立ち、調節可能中心天蓋・調節可能リング天蓋・調節可能周辺オーニング・単一中心内面正方形ロック・ポップアップからの煙の退出を補助することができない。
ｄ）雨保護を提供し、占有者を乾燥した状態に保つことができない。
【００２８】
２）いかなる従来技術も、中心内面ロック調節可能リング１２９を有するいかなる折り畳み可能ポップアップに言及も、開示もしていない。したがって、従来技術の折り畳み可能ポップアップは、
ａ）中心正方形支柱１２５を残りの天蓋構造にロックし、調節可能中心天蓋・調節可能リング天蓋・調節可能周辺オーニング・単一中心内面正方形ロック・ポップアップの全体的強度を高めることができない。
ｂ）天蓋を一緒にロックし、調節可能中心天蓋・調節可能リング天蓋・調節可能周辺オーニング・単一中心内面正方形ロック・ポップアップが崩れることを防止することができない。
ｃ）ロック点の合計数を減少させ、設営をより容易にすることができない。
ｄ）中心内面ロック調節可能リング１２９および２つのボタントンネル１３１と同じ平面上で４つの支柱高さ調節ニップル１２０と中心正方形支柱１２５とをロックし、風が、調節可能中心天蓋・調節可能リング天蓋・調節可能周辺オーニング・単一中心内面正方形ロック・ポップアップを捻じり、および曲げようとしているとき、４つの支柱高さ調節ニップル１２０が２つのボタントンネル１３１から外に捻じれることおよび曲がることを防止することができない。
【００２９】
３）いかなる従来技術も、滑車輪１４５を有するいかなる折り畳み可能ポップアップに言及も、開示もしていない。したがって、従来技術の折り畳み可能ポップアップは、
ａ）天蓋をぴんと張るためにロープ１４１を通すための滑車として使用されることができない。
ｂ）折り畳まれた構成にあるとき、地面に沿って調節可能中心天蓋・調節可能リング天蓋・調節可能周辺オーニング・単一中心内面正方形ロック・ポップアップを転がし、輸送をより容易にするために使用されることができない。
ｃ）完全に建てられているとき、調節可能中心天蓋・調節可能リング天蓋・調節可能周辺オーニング・単一中心内面正方形ロック・ポップアップを再配置することに役立つために、調節可能中心天蓋・調節可能リング天蓋・調節可能周辺オーニング・単一中心内面正方形ロック・ポップアップを移動させることを補助するために使用されることができない。
ｄ）構造を強化および拡張し、４つの下側支柱１２１が外に曲がることを妨げるために、４つの下側支柱１２１を一緒に接続し、他のポップアップを調節可能中心天蓋・調節可能リング天蓋・調節可能周辺オーニング・単一中心内面正方形ロック・ポップアップに接続するためにロープ１４１と共に使用されることができない。
【００３０】
４）いかなる従来技術も、ダニ防止下向き歯１１７を有するいかなる折り畳み可能ポップアップに言及も、開示もしていない。したがって、従来技術の折り畳み可能ポップアップは、
ａ）ダニが４つの上側支柱１１２および４つの下側支柱１２１の内側に入ることを防止し、占有者を疾患から保護することができない。
ｂ）天候要素が４つの上側支柱１１２および４つの下側支柱１２１の内側で起こることを妨げることに役立ち、調節可能中心天蓋・調節可能リング天蓋・調節可能周辺オーニング・単一中心内面正方形ロック・ポップアップのさびを防止し、その寿命を増加させることに役立つことができない。
ｃ）排水を補助し、さびを防止することに役立つことができない。
ｄ）追加の構造を４つのスリーブ１１５に提供し、４つの上側支柱１１２および４つの下側支柱１２１の強度を高めることができない。
【００３１】
５）いかなる従来技術も、支柱センタリングクランプ１１６を有するいかなる折り畳み可能ポップアップに言及も、開示もしていない。したがって、従来技術の折り畳み可能ポップアップは、
ａ）４つの上側支柱１１２内で４つの下側支柱１２１を中心に置き、組立および分解に役立つことができない。
ｂ）ダニが４つの上側支柱１１２および４つの下側支柱１２１の中に進入することを妨げることに役立ち、占有者を保護することができない。
ｃ）追加強度および安定性を４つの上側支柱１１２および４つの下側支柱１２１に提供し、占有者を安全に保ち、調節可能中心天蓋・調節可能リング天蓋・調節可能周辺オーニング・単一中心内面正方形ロック・ポップアップの寿命を増加させることができない。
ｄ）４つの上側支柱１１２と４つの下側支柱１２１とが結合することを避け、調節可能中心天蓋・調節可能リング天蓋・調節可能周辺オーニング・単一中心内面正方形ロック・ポップアップを上下に調節することに役立つことができない。
【００３２】
６）いかなる従来技術も、中心正方形支柱１２５を有するいかなる折り畳み可能ポップアップに言及も、開示もしていない。したがって、従来技術の折り畳み可能ポップアップは、
ａ）側方強度を調節可能中心天蓋・調節可能リング天蓋・調節可能周辺オーニング・単一中心内面正方形ロック・ポップアップに提供し、調節可能中心天蓋・調節可能リング天蓋・調節可能周辺オーニング・単一中心内面正方形ロック・ポップアップが半径方向に捻じれることを妨げることができない。
ｂ）天蓋構造を一緒にロックし、天蓋が崩れることを防止することができない。
ｃ）複数の調節場所を提供し、設営のための選択肢を与えることができない。
ｄ）全ロック点の合計数を減少させ、設営をより容易にすることができない。
【００３３】
７）いかなる従来技術も、リードインファンネル１３０を有するいかなる折り畳み可能ポップアップに言及も、開示もしていない。したがって、従来技術の折り畳み可能ポップアップは、
ａ）中心正方形支柱１２５を中心内面ロック調節可能リング１２９の中に自動的に誘導し、
設営に役立つことができない。
ｂ）中心正方形支柱１２５を中心内面ロック調節可能リング１２９の上部および底部の両方の中に自動的に誘導し、上下調節をより容易にすることができない。
ｃ）中心内面ロックダブルニップル１２８を自動的に押し下げ、中心正方形支柱１２５のロックをより容易にすることができない。
ｄ）中心内面ロック調節可能リング１２９と中心正方形支柱１２５との間により少ない摩擦を自動的に提供し、設営および調節をより容易にすることができない。
【００３４】
８）いかなる従来技術も、水排出溝１１８を有するいかなる折り畳み可能ポップアップに言及も、開示もしていない。したがって、従来技術の折り畳み可能ポップアップは、
ａ）水が４つの上側支柱１１２および４つの下側支柱１２１から排水されることを可能にし、４つの上側支柱１１２および４つの下側支柱１２１がさびることを防止することができない。
ｂ）水が支柱の中に入ることを防止し、調節可能中心天蓋・調節可能リング天蓋・調節可能周辺オーニング・単一中心内面正方形ロック・ポップアップの寿命を延長させることに役立つことができない。
ｃ）虫に対して保護することに役立ち、占有者を保護することに役立つことができない。
ｄ）追加構造をスリーブに提供し、４つの上側支柱１１２および４つの下側支柱１２１の強度を高めることができない。
【００３５】
９）いかなる従来技術も、折り畳み式調節可能オーニングトラス１３６を有するいかなる折り畳み可能ポップアップに言及も、開示もしていない。したがって、従来技術の折り畳み可能ポップアップは、
ａ）周辺オーニング１３５のための支持を提供し、周辺オーニング１３５の織物が垂れることを妨げることができない。
ｂ）周辺オーニング１３５を上に調節し、空気流を外に向け直すことができない。
ｃ）周辺オーニング１３５を下に調節し、空気流を下に向け直すことができない。
ｄ）追加の支持を調節可能中心天蓋・調節可能リング天蓋・調節可能周辺オーニング・単一中心内面正方形ロック・ポップアップに提供し、全体的構造を強化することができない。
【００３６】
１０）いかなる従来技術も、４つのスリーブ１１５を有するいかなる折り畳み可能ポップアップに言及も、開示もしていない。したがって、従来技術の折り畳み可能ポップアップは、
ａ）４つの上側支柱１１２と４つの下側支柱１２１とが互いに傷つけることを防止し、早期の摩耗またはさびを防止することができない。
ｂ）４つの上側支柱１１２と４つの下側支柱１２１との間の摩擦を最小化し、上昇および下降をより容易にすることができない。
ｃ）４つの上側支柱１１２および４つの下側支柱１２１の露出した接合部を保護し、さびを防止し、寿命を増加させることができない。
ｄ）４つの上側支柱１１２と４つの下側支柱１２１とを一緒に接合し、支柱のための追加の強度および支持を提供することができない。
【００３７】
１１）いかなる従来技術も、ロープおよび杭孔１４０を有するいかなる折り畳み可能ポップアップに言及も、開示もしていない。したがって、従来技術の折り畳み可能ポップアップは、
ａ）滑車輪またはフックのいずれかと共に使用するために、ロープ１４１を通すために使用されることができない。
ｂ）調節可能中心天蓋・調節可能リング天蓋・調節可能周辺オーニング・単一中心内面正方形ロック・ポップアップを地面に固定するために、地面の中に杭１４２を差し込むために使用されることができない。
ｃ）他の滑車輪１４５およびロープ１４１と共に使用されるために、ロープ１４１のための滑車として使用されることができない。
ｄ）ロープ１４１および滑車輪１４５のためのカスタマイズ選択肢を増加させるために、ロープ１４１のための結びつけ場所として使用されることができない。
【００３８】
１２）いかなる従来技術も、フック１３９を有するいかなる折り畳み可能ポップアップに言及も、開示もしていない。したがって、従来技術の折り畳み可能ポップアップは、
ａ）フック１３９に天蓋ロープ１４１を引っ掛け、ロープ１４１および全ての天蓋およびオーニングをロックし、それらがスリップすることを妨げることができない。
ｂ）ロープおよび杭孔１４０の場所を提供し、４つの下側支柱１２１を地面に杭打ちすることに役立つことができない。
ｃ）足掛けとして使用され、設営に役立ち、４つの下側支柱１２１を地面の中に差し込むことができない。
ｄ）４つの下側支柱１２１からフック１３９にロープ１４１を引っ掛け、構造を強化し、４つの下側支柱１２１が外に曲がることを妨げることができない。
【００３９】
（本発明の目的および利点）
本発明は、従来技術の従来の概念および設計とは実質的に異なる。そうすることで、本発明は、多くの独特かつ著しい特徴、機能、および利点を有する調節可能中心天蓋・調節可能リング天蓋・調節可能周辺オーニング・単一中心内面正方形ロック・ポップアップ（（ａ）支柱センタリング、ダニ防止、水排出、風および煙向け直しリング天蓋システム、ｂ）中心内面ロック風および煙向け直し中心天蓋システム、ｃ）風および煙向け直し・周辺オーニングシステム、および、ｄ）多機能フック、ロープ、杭、滑車輪システムを有する）を提供し、それらは、以下のように従来技術の全ての不利点を克服する：
【００４０】
１）新しい発明の目的は、調節可能中心天蓋・調節可能リング天蓋・調節可能周辺オーニング・単一中心内面正方形ロック・ポップアップを提供することであり、それは、調節可能リング天蓋１０２と、調節可能中心天蓋１２４と、調節可能周辺オーニング１３５とを有する。したがって、調節可能中心天蓋・調節可能リング天蓋・調節可能周辺オーニング・単一中心内面正方形ロック・ポップアップは、
ａ）日よけを占有者に提供し、日焼けを防止することができる。
ｂ）調節可能中心天蓋・調節可能リング天蓋・調節可能周辺オーニング・単一中心内面正方形ロック・ポップアップの内外への空気流を増加させるために上下に調節され、占有者を涼しい状態に保つことができる。
ｃ）調節可能中心天蓋・調節可能リング天蓋・調節可能周辺オーニング・単一中心内面正方形ロック・ポップアップから外への空気流に役立ち、調節可能中心天蓋・調節可能リング天蓋・調節可能周辺オーニング・単一中心内面正方形ロック・ポップアップからの煙の退出を補助することができる。
ｄ）雨保護を提供し、占有者を乾燥した状態に保つことができる。
【００４１】
２）新しい発明の別の目的は、中心内面ロック調節可能リング１２９を有する調節可能中心天蓋、調節可能周辺天蓋、調節可能オーニング単一中心内面正方形ロック・ポップアップを提供することである。したがって、調節可能中心天蓋・調節可能リング天蓋・調節可能周辺オーニング・単一中心内面正方形ロック・ポップアップは、
ａ）中心正方形支柱１２５を残りの天蓋構造にロックし、調節可能中心天蓋・調節可能リング天蓋・調節可能周辺オーニング・単一中心内面正方形ロック・ポップアップの全体的強度を高めることができる。
ｂ）天蓋を一緒にロックし、調節可能中心天蓋・調節可能リング天蓋・調節可能周辺オーニング・単一中心内面正方形ロック・ポップアップが崩れることを防止することができる。
ｂ）ロック点の合計数を減少させ、設営をより容易にすることができる。
ｄ）中心内面ロック調節可能リング１２９および２つのボタントンネル１３１と同じ平面上で４つの支柱高さ調節ニップル１２０および中心正方形支柱１２５をロックし、風が、調節可能中心天蓋・調節可能リング天蓋・調節可能周辺オーニング・単一中心内面正方形ロック・ポップアップを捻じり、および曲げようとしているとき、４つの支柱高さ調節ニップル１２０が２つのボタントンネル１３１から外に捻じれることおよび曲がることを防止することができる。
【００４２】
３）新しい発明の別の目的は、滑車輪１４５を有する調節可能中心天蓋・調節可能リング天蓋・調節可能周辺オーニング・単一中心内面正方形ロック・ポップアップを提供することである。したがって、調節可能中心天蓋・調節可能リング天蓋・調節可能周辺オーニング・単一中心内面正方形ロック・ポップアップは、
ａ）天蓋をぴんと張るために、ロープ１４１を通すための滑車として使用されることができる。
ｂ）輸送をより容易にするために、折り畳まれた構成にあるとき、地面に沿って調節可能中心天蓋・調節可能リング天蓋・調節可能周辺オーニング・単一中心内面正方形ロック・ポップアップを転がすために使用されることができる。
ｃ）調節可能中心天蓋・調節可能リング天蓋・調節可能周辺オーニング・単一中心内面正方形ロック・ポップアップを再配置することに役立つために、完全に建てられているとき、調節可能中心天蓋・調節可能リング天蓋・調節可能周辺オーニング・単一中心内面正方形ロック・ポップアップを移動させることを補助するために使用されることができる。
ｄ）構造を強化および拡張し、４つの下側支柱１２１が外に曲がることを妨げるために、４つの下側支柱１２１を一緒に接続し、他のポップアップを調節可能中心天蓋・調節可能リング天蓋・調節可能周辺オーニング・単一中心内面正方形ロック・ポップアップに接続するためにロープ１４１と共に使用されることができる。
【００４３】
４）新しい発明のさらなる目的は、ダニ防止下向き歯１１７を有する調節可能中心天蓋・調節可能リング天蓋・調節可能周辺オーニング・単一中心内面正方形ロック・ポップアップを提供することである。したがって、調節可能中心天蓋・調節可能リング天蓋・調節可能周辺オーニング・単一中心内面正方形ロック・ポップアップは、
ａ）ダニが４つの上側支柱１１２および４つの下側支柱１２１の内側に入ることを防止し、占有者を疾患から保護することができる。
ｂ）天候要素が４つの上側支柱１１２および４つの下側支柱１２１の内側で起こることを妨げることに役立ち、調節可能中心天蓋・調節可能リング天蓋・調節可能周辺オーニング・単一中心内面正方形ロック・ポップアップのさびを防止し、その寿命を増加させることに役立つことができる。
ｃ）排水を補助し、さびを防止することに役立つことができる。
ｄ）追加の構造を４つのスリーブ１１５に提供し、４つの上側支柱１１２および４つの下側支柱１２１の強度を高めることができる。
【００４４】
５）新しい発明のなおさらなる目的は、支柱センタリングクランプ１１６を有する調節可能中心天蓋・調節可能リング天蓋・調節可能周辺オーニング・単一中心内面正方形ロック・ポップアップを提供することである。したがって、調節可能中心天蓋、調節可能周辺天蓋、調節可能オーニング単一中心内面正方形ロック・ポップアップは、
ａ）４つの上側支柱１１２内で４つの下側支柱１２１を中心に置き、組立および分解に役立つことができる。
ｂ）ダニが４つの上側支柱１１２および４つの下側支柱１２１の中に進入することを妨げることに役立ち、占有者を保護することができる。
ｃ）追加強度および安定性を４つの上側支柱１１２および４つの下側支柱１２１に提供し、占有者を安全に保ち、調節可能中心天蓋・調節可能リング天蓋・調節可能周辺オーニング・単一中心内面正方形ロック・ポップアップの寿命を増加させることができる。
ｄ）４つの上側支柱１１２と４つの下側支柱１２１とが結合することを避け、調節可能中心天蓋・調節可能リング天蓋・調節可能周辺オーニング・単一中心内面正方形ロック・ポップアップを上下に調節することに役立つことができる。
【００４５】
６）新しい発明の別の目的は、中心正方形支柱１２５を有する調節可能中心天蓋・調節可能リング天蓋・調節可能周辺オーニング・単一中心内面正方形ロック・ポップアップを提供することである。したがって、調節可能中心天蓋・調節可能リング天蓋・調節可能周辺オーニング・単一中心内面正方形ロック・ポップアップは、
ａ）側方強度を調節可能中心天蓋・調節可能リング天蓋・調節可能周辺オーニング・単一中心内面正方形ロック・ポップアップに提供し、調節可能中心天蓋・調節可能リング天蓋・調節可能周辺オーニング・単一中心内面正方形ロック・ポップアップが半径方向に捻じれることを妨げることができる。
ｂ）天蓋構造を一緒にロックし、天蓋が崩れることを防止することができる。
ｃ）複数の調節場所を提供し、設営のための選択肢を与えることができる。
ｄ）全ロック点の合計数を減少させ、設営をより容易にすることができる。
【００４６】
７）新しい発明のまた別の目的は、リードインファンネル１３０を有する調節可能中心天蓋・調節可能リング天蓋・調節可能周辺オーニング・単一中心内面正方形ロック・ポップアップを提供することである。したがって、調節可能中心天蓋・調節可能リング天蓋・調節可能周辺オーニング・単一中心内面正方形ロック・ポップアップは、
ａ）中心正方形支柱１２５を中心内面ロック調節可能リング１２９の中に自動的に誘導し、設営に役立つことができる。
ｂ）中心正方形支柱１２５を中心内面ロック調節可能リング１２９の上部および底部の両方の中に自動的に誘導し、上下調節をより容易にすることができる。
ｃ）中心内面ロックダブルニップル１２８を自動的に押し下げ、中心正方形支柱１２５のロックをより容易にすることができる。
ｄ）中心内面ロック調節可能リング１２９と中心正方形支柱１２５との間により少ない摩擦を自動的に提供し、設営および調節をより容易にすることができる。
【００４７】
８）新しい発明のなおもまた別の目的は、水排出溝１１８を有する調節可能中心天蓋・調節可能リング天蓋・調節可能周辺オーニング・単一中心内面正方形ロック・ポップアップを提供することである。したがって、調節可能中心天蓋・調節可能リング天蓋・調節可能周辺オーニング・単一中心内面正方形ロック・ポップアップは、
ａ）水が４つの上側支柱１１２および４つの下側支柱１２１から排水されることを可能にし、４つの上側支柱１１２および４つの下側支柱１２１がさびることを防止することができる。
ｂ）水が支柱の中に入ることを防止し、調節可能中心天蓋・調節可能リング天蓋・調節可能周辺オーニング・単一中心内面正方形ロック・ポップアップの寿命を延長させることに役立つことができる。
ｃ）虫に対して保護することに役立ち、占有者を保護することに役立つことができる。
ｄ）追加構造をスリーブに提供し、４つの上側支柱１１２および４つの下側支柱１２１の強度を高めることができる。
【００４８】
９）新しい発明のなおもまたなおさらなる目的は、折り畳み式調節可能オーニングトラス１３６を有する調節可能中心天蓋・調節可能リング天蓋・調節可能周辺オーニング・単一中心内面正方形ロック・ポップアップを提供することである。したがって、調節可能中心天蓋・調節可能リング天蓋・調節可能周辺オーニング・単一中心内面正方形ロック・ポップアップは、
ａ）周辺オーニング１３５のための支持を提供し、周辺オーニング１３５の織物が垂れることを妨げることができる。
ｂ）周辺オーニング１３５を上に調節し、空気流を外に向け直すことができる。
ｃ）周辺オーニング１３５を下に調節し、空気流を下に向け直すことができる。
ｄ）追加の支持を調節可能中心天蓋・調節可能リング天蓋・調節可能周辺オーニング・単一中心内面正方形ロック・ポップアップに提供し、全体的構造を強化することができる。
【００４９】
１０）新しい発明のなおもまたなおさらなる目的は、４つのスリーブ１１５を有する調節可能中心天蓋・調節可能リング天蓋・調節可能周辺オーニング・単一中心内面正方形ロック・ポップアップを提供することである。したがって、調節可能中心天蓋、調節可能周辺天蓋、調節可能オーニング単一中心内面正方形ロック・ポップアップは、
ａ）４つの上側支柱１１２と４つの下側支柱１２１とが互いに傷つけることを防止し、早期の摩耗またはさびを防止することができる。
ｂ）４つの上側支柱１１２と４つの下側支柱１２１との間の摩擦を最小化し、上昇および下降をより容易にすることができる。
ｃ）４つの上側支柱１１２および４つの下側支柱１２１の露出した接合部を保護し、さびを防止し、寿命を増加させることができる。
ｄ）４つの上側支柱１１２と４つの下側支柱１２１とを一緒に接合し、支柱のための追加の強度および支持を提供することができる。
【００５０】
１１）新しい発明のなおもまたなおさらなる目的は、ロープおよび杭孔１４０を有する調節可能中心天蓋・調節可能リング天蓋・調節可能周辺オーニング・単一中心内面正方形ロック・ポップアップを提供することである。したがって、調節可能中心天蓋・調節可能リング天蓋・調節可能周辺オーニング・単一中心内面正方形ロック・ポップアップは、
ａ）滑車輪またはフックのいずれかと共に使用するために、ロープ１４１を通すために使用されることができる。
ｂ）調節可能中心天蓋・調節可能リング天蓋・調節可能周辺オーニング・単一中心内面正方形ロック・ポップアップを地面に固定するために、地面の中に杭１４２を差し込むために使用されることができる。
ｃ）他の滑車輪１４５およびロープ１４１と共に使用されるために、ロープ滑車として使用されることができる。
ｄ）ロープ１４１および滑車輪１４５のためのカスタマイズ選択肢を増加させるために、ロープ１４１のための結びつけ場所として使用されることができる。
【００５１】
１２）新しい発明のなおもまたなおさらなる目的は、フック１３９を有する調節可能中心天蓋・調節可能リング天蓋・調節可能周辺オーニング・単一中心内面正方形ロック・ポップアップを提供することである。したがって、調節可能中心天蓋・調節可能リング天蓋・調節可能周辺オーニング・単一中心内面正方形ロック・ポップアップは、
ａ）フック１３９に天蓋ロープ１４１を引っ掛け、ロープ１４１および全ての天蓋およびオーニングをロックし、それらがスリップすることを妨げることができる。
ｂ）ロープおよび杭孔１４０の場所を提供し、４つの下側支柱１２１を地面に杭打ちすることに役立つことができる。
ｃ）足掛けとして使用され、設営に役立ち、４つの下側支柱１２１を地面の中に差し込むことができる。
ｄ）４つの下側支柱１２１からフック１３９にロープ１４１を引っ掛け、構造を強化し、４つの下側支柱１２１が外に曲がることを妨げることができる。
【００５２】
本発明の他の目的および利点が、付随の図面および続く説明の考慮から明白となるであろう。
【先行技術文献】
【特許文献】
【００５３】
【特許文献１】米国特許第２，１５１，９０８号明細書
【発明の概要】
【課題を解決するための手段】
【００５４】
複数調節可能天蓋およびオーニング単一ロック・ポップアップは、各々が上下に調節されることが可能である調節可能リング天蓋および調節可能中心天蓋および調節可能周辺オーニングと、中心交差部と、各々が中心交差部にボルト留めされる折り畳み可能上部およびコーナーおよび側面トラスと、４つの上側支柱と、各々が上部および側面トラスにボルト留めされる４つの上側コーナー交差部と、各々が４つの上側支柱上でスライドさせられる４つの下側コーナー交差部および４つのスリーブと、各々が４つのスリーブにそれぞれ成形される支柱センタリングクランプおよびダニ防止下向き歯および水排出溝と、４つの上側支柱の内側に挿入される４つの下側支柱と、中心交差部に取り付けられる中心正方形支柱と、中心正方形支柱に取り付けられる中心内面ロックダブルニップルと、ポップアップが時計回りまたは反時計回りに半径方向に捻じれることを防止し、ポップアップが折り畳まれた後、または展開された後、ポップアップをロックおよびロック解除するために、同じ平面上で、中心内面ロック調節可能リングおよび折り畳み式調節可能中心トラスに、およびそれから中心正方形支柱および中心内面ロックダブルニップルをロックおよびロック解除するために、調節可能かつスライド可能に中心正方形支柱上にロックされ、それからロック解除される、中心内面ロック調節可能リングと、４つの下側支柱にそれぞれ溶接または成形されるフックと、４つの下側支柱またはフックのうちの少なくとも１つに引っ掛けられるロープと、各々がフックに回転可能に取り付けられた滑車輪であって、滑車輪は、ロープをかけ、４つの下側支柱を一緒に縛り、地面に沿ってポップアップを転がすための滑車および車輪として機能するためである、滑車輪とを備えている。
【図面の簡単な説明】
【００５５】
【図１Ａ】図１Ａ、図１Ｂ、図１Ｃ、および図１Ｄは、調節可能中心天蓋・調節可能リング天蓋・調節可能周辺オーニング・単一中心内面正方形ロック・ポップアップのアセンブリの正面図および斜視図を図示する。
【図１Ｂ】図１Ａ、図１Ｂ、図１Ｃ、および図１Ｄは、調節可能中心天蓋・調節可能リング天蓋・調節可能周辺オーニング・単一中心内面正方形ロック・ポップアップのアセンブリの正面図および斜視図を図示する。
【図１Ｃ】図１Ａ、図１Ｂ、図１Ｃ、および図１Ｄは、調節可能中心天蓋・調節可能リング天蓋・調節可能周辺オーニング・単一中心内面正方形ロック・ポップアップのアセンブリの正面図および斜視図を図示する。
【図１Ｄ】図１Ａ、図１Ｂ、図１Ｃ、および図１Ｄは、調節可能中心天蓋・調節可能リング天蓋・調節可能周辺オーニング・単一中心内面正方形ロック・ポップアップのアセンブリの正面図および斜視図を図示する。
【図２】図２Ａ、図２Ｂ、および図３は、中心内面ロック・風および煙向け直し・調節可能中心天蓋システム１２３の正面図および斜視図を図示する。
【図３】図２Ａ、図２Ｂ、および図３は、中心内面ロック・風および煙向け直し・調節可能中心天蓋システム１２３の正面図および斜視図を図示する。
【図４】図４Ａ、図４Ｂ、および図５は、支柱センタリング・ダニ防止・水排出・風および煙向け直し・調節可能リング天蓋システム１０１の正面図および斜視図を図示する。
【図５】図４Ａ、図４Ｂ、および図５は、支柱センタリング・ダニ防止・水排出・風および煙向け直し・調節可能リング天蓋システム１０１の正面図および斜視図を図示する。
【図６】図６Ａ、図６Ｂ、および図７は、風および煙向け直し・調節可能周辺オーニングシステム１３４の正面図および斜視図を図示する。
【図７】図６Ａ、図６Ｂ、および図７は、風および煙向け直し・調節可能周辺オーニングシステム１３４の正面図および斜視図を図示する。
【図８】図８、図９、図１０、図１１、および図１２は、折り畳み式上部トラス１０７ａ、折り畳み式コーナートラス１０８、および折り畳み式側面トラス１０９が一緒に組み立てられる方法の斜視図を図示する。
【図９】図８、図９、図１０、図１１、および図１２は、折り畳み式上部トラス１０７ａ、折り畳み式コーナートラス１０８、および折り畳み式側面トラス１０９が一緒に組み立てられる方法の斜視図を図示する。
【図１０】図８、図９、図１０、図１１、および図１２は、折り畳み式上部トラス１０７ａ、折り畳み式コーナートラス１０８、および折り畳み式側面トラス１０９が一緒に組み立てられる方法の斜視図を図示する。
【図１１】図８、図９、図１０、図１１、および図１２は、折り畳み式上部トラス１０７ａ、折り畳み式コーナートラス１０８、および折り畳み式側面トラス１０９が一緒に組み立てられる方法の斜視図を図示する。
【図１２】図８、図９、図１０、図１１、および図１２は、折り畳み式上部トラス１０７ａ、折り畳み式コーナートラス１０８、および折り畳み式側面トラス１０９が一緒に組み立てられる方法の斜視図を図示する。
【図１３】図１３Ａ、図１３Ｂ、図１３Ｃ、図１４、図１５Ａ、および図１５Ｂは、中心内面ロック・風および煙向け直し・調節可能中心天蓋システム１２３が中心正方形支柱１２５と組み立てられる方法の正面図および斜視図を図示する。
【図１４】図１３Ａ、図１３Ｂ、図１３Ｃ、図１４、図１５Ａ、および図１５Ｂは、中心内面ロック・風および煙向け直し・調節可能中心天蓋システム１２３が中心正方形支柱１２５と組み立てられる方法の正面図および斜視図を図示する。
【図１５Ａ】図１３Ａ、図１３Ｂ、図１３Ｃ、図１４、図１５Ａ、および図１５Ｂは、中心内面ロック・風および煙向け直し・調節可能中心天蓋システム１２３が中心正方形支柱１２５と組み立てられる方法の正面図および斜視図を図示する。
【図１５Ｂ】図１３Ａ、図１３Ｂ、図１３Ｃ、図１４、図１５Ａ、および図１５Ｂは、中心内面ロック・風および煙向け直し・調節可能中心天蓋システム１２３が中心正方形支柱１２５と組み立てられる方法の正面図および斜視図を図示する。
【図１６】図１６Ａおよび図１６Ｂは、輸送および保管のために折り畳まれ、離れた場所に転がされるときの調節可能中心天蓋・調節可能リング天蓋・調節可能周辺オーニング・単一中心内面正方形ロック・ポップアップの正面図を図示する。
【図１７Ａ】図１７Ａ、図１７Ｂ、および図１７Ｃは、支柱センタリングクランプ１１６、ダニ防止下向き歯１１７、および水排出溝１１８の斜視図および断面図を図示する。
【図１７Ｂ】図１７Ａ、図１７Ｂ、および図１７Ｃは、支柱センタリングクランプ１１６、ダニ防止下向き歯１１７、および水排出溝１１８の斜視図および断面図を図示する。
【図１７Ｃ】図１７Ａ、図１７Ｂ、および図１７Ｃは、支柱センタリングクランプ１１６、ダニ防止下向き歯１１７、および水排出溝１１８の斜視図および断面図を図示する。
【図１８Ａ】図１８Ａ、図１８Ｂ、および図１８Ｃは、複数の異なる高度において中心内面ロック調節可能リング１２９を調節可能にロックする方法の断面図を図示する。
【図１８Ｂ】図１８Ａ、図１８Ｂ、および図１８Ｃは、複数の異なる高度において中心内面ロック調節可能リング１２９を調節可能にロックする方法の断面図を図示する。
【図１８Ｃ】図１８Ａ、図１８Ｂ、および図１８Ｃは、複数の異なる高度において中心内面ロック調節可能リング１２９を調節可能にロックする方法の断面図を図示する。
【図１９Ａ】図１９Ａ、図１９Ｂ、図１９Ｃ、および図１９Ｄは、開放および閉鎖位置において中心内面ロック・風および煙向け直し・調節可能中心天蓋システム１２３を調節可能にロックする方法の断面図および正面図を図示する。
【図１９Ｂ】図１９Ａ、図１９Ｂ、図１９Ｃ、および図１９Ｄは、開放および閉鎖位置において中心内面ロック・風および煙向け直し・調節可能中心天蓋システム１２３を調節可能にロックする方法の断面図および正面図を図示する。
【図１９Ｃ】図１９Ａ、図１９Ｂ、図１９Ｃ、および図１９Ｄは、開放および閉鎖位置において中心内面ロック・風および煙向け直し・調節可能中心天蓋システム１２３を調節可能にロックする方法の断面図および正面図を図示する。
【図１９Ｄ】図１９Ａ、図１９Ｂ、図１９Ｃ、および図１９Ｄは、開放および閉鎖位置において中心内面ロック・風および煙向け直し・調節可能中心天蓋システム１２３を調節可能にロックする方法の断面図および正面図を図示する。
【図１９Ｅ】図１９Ｅ、図１９Ｆ、図１９Ｇ、および図１９Ｈは、中心正方形支柱１２５が、調節可能中心天蓋・調節可能リング天蓋・調節可能周辺オーニング・単一中心内面正方形ロック・ポップアップがその所望の形状から時計回りまたは反時計回りに半径方向に捻じれることを防止する様子の上面図を図示する。
【図１９Ｆ】図１９Ｅ、図１９Ｆ、図１９Ｇ、および図１９Ｈは、中心正方形支柱１２５が、調節可能中心天蓋・調節可能リング天蓋・調節可能周辺オーニング・単一中心内面正方形ロック・ポップアップがその所望の形状から時計回りまたは反時計回りに半径方向に捻じれることを防止する様子の上面図を図示する。
【図１９Ｇ】図１９Ｅ、図１９Ｆ、図１９Ｇ、および図１９Ｈは、中心正方形支柱１２５が、調節可能中心天蓋・調節可能リング天蓋・調節可能周辺オーニング・単一中心内面正方形ロック・ポップアップがその所望の形状から時計回りまたは反時計回りに半径方向に捻じれることを防止する様子の上面図を図示する。
【図１９Ｈ】図１９Ｅ、図１９Ｆ、図１９Ｇ、および図１９Ｈは、中心正方形支柱１２５が、調節可能中心天蓋・調節可能リング天蓋・調節可能周辺オーニング・単一中心内面正方形ロック・ポップアップがその所望の形状から時計回りまたは反時計回りに半径方向に捻じれることを防止する様子の上面図を図示する。
【図２０Ａ】図２０Ａ、図２０Ｂ、図２０Ｃ、図２０Ｄ、図２０Ｅ、図２０Ｆ、図２０Ｇ、および図２０Ｈは、支柱センタリング・ダニ防止・水排出・風および煙向け直し・調節可能リング天蓋システム１０１、中心内面ロック・風および煙向け直し・調節可能中心天蓋システム１２３、および風および煙向け直し・周辺オーニングシステム１３４を使用して風および煙を向け直す方法の正面図および斜視図を図示する。
【図２０Ｂ】図２０Ａ、図２０Ｂ、図２０Ｃ、図２０Ｄ、図２０Ｅ、図２０Ｆ、図２０Ｇ、および図２０Ｈは、支柱センタリング・ダニ防止・水排出・風および煙向け直し・調節可能リング天蓋システム１０１、中心内面ロック・風および煙向け直し・調節可能中心天蓋システム１２３、および風および煙向け直し・周辺オーニングシステム１３４を使用して風および煙を向け直す方法の正面図および斜視図を図示する。
【図２０Ｃ】図２０Ａ、図２０Ｂ、図２０Ｃ、図２０Ｄ、図２０Ｅ、図２０Ｆ、図２０Ｇ、および図２０Ｈは、支柱センタリング・ダニ防止・水排出・風および煙向け直し・調節可能リング天蓋システム１０１、中心内面ロック・風および煙向け直し・調節可能中心天蓋システム１２３、および風および煙向け直し・周辺オーニングシステム１３４を使用して風および煙を向け直す方法の正面図および斜視図を図示する。
【図２０Ｄ】図２０Ａ、図２０Ｂ、図２０Ｃ、図２０Ｄ、図２０Ｅ、図２０Ｆ、図２０Ｇ、および図２０Ｈは、支柱センタリング・ダニ防止・水排出・風および煙向け直し・調節可能リング天蓋システム１０１、中心内面ロック・風および煙向け直し・調節可能中心天蓋システム１２３、および風および煙向け直し・周辺オーニングシステム１３４を使用して風および煙を向け直す方法の正面図および斜視図を図示する。
【図２０Ｅ】図２０Ａ、図２０Ｂ、図２０Ｃ、図２０Ｄ、図２０Ｅ、図２０Ｆ、図２０Ｇ、および図２０Ｈは、支柱センタリング・ダニ防止・水排出・風および煙向け直し・調節可能リング天蓋システム１０１、中心内面ロック・風および煙向け直し・調節可能中心天蓋システム１２３、および風および煙向け直し・周辺オーニングシステム１３４を使用して風および煙を向け直す方法の正面図および斜視図を図示する。
【図２０Ｆ】図２０Ａ、図２０Ｂ、図２０Ｃ、図２０Ｄ、図２０Ｅ、図２０Ｆ、図２０Ｇ、および図２０Ｈは、支柱センタリング・ダニ防止・水排出・風および煙向け直し・調節可能リング天蓋システム１０１、中心内面ロック・風および煙向け直し・調節可能中心天蓋システム１２３、および風および煙向け直し・周辺オーニングシステム１３４を使用して風および煙を向け直す方法の正面図および斜視図を図示する。
【図２０Ｇ】図２０Ａ、図２０Ｂ、図２０Ｃ、図２０Ｄ、図２０Ｅ、図２０Ｆ、図２０Ｇ、および図２０Ｈは、支柱センタリング・ダニ防止・水排出・風および煙向け直し・調節可能リング天蓋システム１０１、中心内面ロック・風および煙向け直し・調節可能中心天蓋システム１２３、および風および煙向け直し・周辺オーニングシステム１３４を使用して風および煙を向け直す方法の正面図および斜視図を図示する。
【図２０Ｈ】図２０Ａ、図２０Ｂ、図２０Ｃ、図２０Ｄ、図２０Ｅ、図２０Ｆ、図２０Ｇ、および図２０Ｈは、支柱センタリング・ダニ防止・水排出・風および煙向け直し・調節可能リング天蓋システム１０１、中心内面ロック・風および煙向け直し・調節可能中心天蓋システム１２３、および風および煙向け直し・周辺オーニングシステム１３４を使用して風および煙を向け直す方法の正面図および斜視図を図示する。
【図２１−１】図２１Ａ、図２１Ｂ、図２１Ｃ、および図２１Ｄは、ロープ１４１が引っ掛かり、フック１３９、４つの下側支柱１２１、および滑車輪１４５と相互作用する様子の斜視図および側面図を図示する。
【図２１−２】図２１Ａ、図２１Ｂ、図２１Ｃ、および図２１Ｄは、ロープ１４１が引っ掛かり、フック１３９、４つの下側支柱１２１、および滑車輪１４５と相互作用する様子の斜視図および側面図を図示する。
【図２２−１】図２２Ａ、図２２Ｂ、図２２Ｃ、および図２３は、ロープ１４１が引っ掛かり、フック１３９、４つの下側支柱１２１、および滑車輪１４５と相互作用し、４つの下側支柱１２１が（例えば、調節可能中心天蓋・調節可能リング天蓋・調節可能周辺オーニング・単一中心内面正方形ロック・ポップアップの上に位置する重い雪が存在するとき）外向きに広がることを防止する様子の正面図および斜視図を図示する。
【図２２−２】図２２Ａ、図２２Ｂ、図２２Ｃ、および図２３は、ロープ１４１が引っ掛かり、フック１３９、４つの下側支柱１２１、および滑車輪１４５と相互作用し、４つの下側支柱１２１が（例えば、調節可能中心天蓋・調節可能リング天蓋・調節可能周辺オーニング・単一中心内面正方形ロック・ポップアップの上に位置する重い雪が存在するとき）外向きに広がることを防止する様子の正面図および斜視図を図示する。
【図２３】図２２Ａ、図２２Ｂ、図２２Ｃ、および図２３は、ロープ１４１が引っ掛かり、フック１３９、４つの下側支柱１２１、および滑車輪１４５と相互作用し、４つの下側支柱１２１が（例えば、調節可能中心天蓋・調節可能リング天蓋・調節可能周辺オーニング・単一中心内面正方形ロック・ポップアップの上に位置する重い雪が存在するとき）外向きに広がることを防止する様子の正面図および斜視図を図示する。
【図２４−１】図２４Ａ、図２４Ｂ、図２４Ｃ、および図２４Ｄは、調節可能リング天蓋１０２および調節可能周辺オーニング１３５の同等の変形例の斜視図および正面図を図示する。
【図２４−２】図２４Ａ、図２４Ｂ、図２４Ｃ、および図２４Ｄは、調節可能リング天蓋１０２および調節可能周辺オーニング１３５の同等の変形例の斜視図および正面図を図示する。
【図２５】図２５Ａおよび図２５Ｂは、中心内面ロックダブルＣ形ばね１２７の同等の変形例の断面図を図示する。
【図２６Ａ】図２６Ａは、中心内面ロック・風および煙向け直し・調節可能中心天蓋システム１２３が中心丸形支柱と組み立てられる方法の斜視図を図示する。
【図２６Ｂ】図２６Ｂは、風および煙向け直し・調節可能周辺オーニングシステム１３４および滑車輪１４５を有していない、調節可能中心天蓋・調節可能リング天蓋・調節可能周辺オーニング・単一中心内面正方形ロック・ポップアップの同等の変形例の斜視図を図示する。
【図２７】図２７Ａ、図２７Ｂ、図２７Ｃ、図２７Ｄ、図２７Ｅ、および図２７Ｆは、２つのボタン１３２の同等の変形例の斜視図、断面図、および正面図を図示する。
【図２８】図２８Ａ、図２８Ｂ、図２８Ｃ、および図２８Ｄは、調節可能中心天蓋・調節可能リング天蓋・調節可能周辺オーニング・単一中心内面正方形ロック・ポップアップ、フック１３９、および滑車輪１４５の同等の変形例の正面図および斜視図を図示する。
【発明を実施するための形態】
【００５６】
調節可能中心天蓋・調節可能リング天蓋・調節可能周辺オーニング・単一中心内面正方形ロック・ポップアップは、
１）支柱センタリング・ダニ防止・水排出・風および煙向け直し・調節可能リング天蓋システム
２）中心内面正方形ロック風および煙向け直し調節可能中心天蓋システム
３）風および煙向け直し・調節可能周辺オーニングシステム
４）多機能フック、ロープ、杭、滑車輪システム
を備えている。
【００５７】
（構成要素）
図１Ａ、図１Ｂ、図１Ｃ、図１Ｄ、図２Ａ、図２Ｂ、図３、図４Ａ、図４Ｂ、図５、図６Ａ、図６Ｂ、図７、図８、図９、図１０、図１１、図１２、図１３Ａ、図１３Ｂ、図１３Ｃ、図１４、図１５Ａ、図１５Ｂ、図１６Ａ、および図１６Ｂを参照すると、調節可能中心天蓋、調節可能周辺天蓋、調節可能オーニング単一中心内面正方形ロック・ポップアップは、以下を備えている。
１）以下を備えている支柱センタリング・ダニ防止・水排出・風および煙向け直し・調節可能リング天蓋システム１０１、
２）調節可能リング天蓋１０２、
３）中心交差部１０３、
４）交差部孔１０４、
５）ボルト１０５、
６）ナット１０６、
７）折り畳み式上部トラス１０７ａ、
上部トラスコネクタ１０７ｂ、
８）折り畳み式コーナートラス１０８、
９）折り畳み式側面トラス１０９、
１０）トラス孔１１０、
１１）４つの上側コーナー交差部１１１、
１２）４つの上側支柱１１２、
１３）４つの下側コーナー交差部１１３、
１４）４つのコーナー交差部止め具１１４、
１５）４つのスリーブ１１５、
１６）支柱センタリングクランプ１１６、
１７）ダニ防止下向き歯１１７、
１８）水排出溝１１８、
１９）４つの支柱高さ調節ばね負荷ロッカ１１９、
２０）４つの支柱高さ調節ニップル１２０、
２１）４つの下側支柱１２１、
２２）支柱高さ調節孔１２２、
２３）以下を備えている中心内面ロック・風および煙向け直し・調節可能中心天蓋システム１２３、
２４）調節可能中心天蓋１２４、
２５）中心正方形支柱１２５、
２６）中心支柱孔１２６、
２７）中心内面ロックダブルＣ形ばね１２７、
２８）中心内面ロックダブルニップル１２８、
２９）中心内面ロック調節可能リング１２９、
３０）リードインファンネル１３０、
３１）２つのボタントンネル１３１、
３２）２つのボタン１３２、
３３）折り畳み式調節可能中心トラス１３３、
３４）以下を備えている風および煙向け直し・調節可能周辺オーニングシステム１３４、
３５）調節可能周辺オーニング１３５、
３６）折り畳み式調節可能オーニングトラス１３６、
３７）回転可能オーニングトラススリーブ１３７、
３８）以下を備えている多機能フック、ロープ、杭、滑車輪システム１３８、
３９）フック１３９、
４０）ロープおよび杭孔１４０、
４１）ロープ１４１、
４２）杭１４２、
４３）滑車輪アーム１４３、
４４）滑車輪車軸１４４、
４５）滑車輪１４５。
【００５８】
（材料）
図１Ａ、図１Ｂ、図１Ｃ、図１Ｄ、図２Ａ、図２Ｂ、図３、図４Ａ、図４Ｂ、図５、図６Ａ、図６Ｂ、図７、図８、図９、図１０、図１１、図１２、図１３Ａ、図１３Ｂ、図１３Ｃ、図１４、図１５Ａ、図１５Ｂ、図１６Ａ、および図１６Ｂを参照すると、
１）支柱センタリング、ダニ防止、水排出、折り畳み式風および煙向け直し調節可能リング天蓋システム１０１は、その構成要素の組み合わせられた材料から作製される。
２）調節可能リング天蓋１０２は、キャンバス、織物、ナイロン、同等物、均等物、または可撓性材料から作製される。
３）中心交差部１０３は、金属またはプラスチック材料から作製される。
４）交差部孔１０４の各々は、空の空間から作成される。
５）ボルト１０５の各々は、金属またはプラスチック材料から作製される。
６）ナット１０６の各々は、金属またはプラスチック材料から作製される。
７）折り畳み式上部トラス１０７ａの各々は、金属またはプラスチック材料から作製される。
上部トラスコネクタ１０７ｂの各々は、金属またはプラスチック材料から作製される。
８）折り畳み式コーナートラス１０８の各々は、金属またはプラスチック材料から作製される。
９）折り畳み式側面トラス１０９の各々は、金属またはプラスチック材料から作製される。
１０）トラス孔１１０の各々は、空の空間から作製される。
１１）４つの上側コーナー交差部１１１の各々は、金属またはプラスチック材料から作製される。
１２）４つの上側支柱１１２の各々は、金属またはプラスチック材料から作製される。
１３）４つの下側コーナー交差部１１３の各々は、金属またはプラスチック材料から作製される。
１４）４つのコーナー交差部止め具１１４の各々は、金属またはプラスチック材料から作製される。
１５）４つのスリーブ１１５の各々は、金属またはプラスチック材料から作製される。
１６）支柱センタリングクランプ１１６の各々は、金属またはプラスチック材料から作製される。
１７）ダニ防止下向き歯１１７の各々は、金属またはプラスチック材料から作製される。
１８）水排出溝１１８
１９）４つの支柱高さ調節ばね負荷ロッカ１１９の各々は、金属またはプラスチック材料から作製される。
２０）４つの支柱高さ調節ニップル１２０の各々は、金属またはプラスチック材料から作製される。
２１）４つの下側支柱１２１の各々は、金属またはプラスチック材料から作製される。
２２）支柱高さ調節孔１２２の各々は、空の空間から作製される。
２３）中心内面ロック・風および煙向け直し・調節可能中心天蓋システム１２３は、その構成要素の組み合わせられた材料から作製される。
２４）調節可能中心天蓋１２４は、キャンバス、織物、ナイロン、同等物、均等物、または可撓性材料から作製される。
２５）中心正方形支柱１２５は、金属またはプラスチック材料から作製される。
２６）中心支柱孔１２６の各々は、空の空間から作製される。
２７）中心内面ロックダブルＣ形ばね１２７は、金属またはプラスチック材料から作製される。
２８）中心内面ロックダブルニップル１２８の各々は、金属またはプラスチック材料から作製される。
２９）中心内面ロック調節可能リング１２９は、金属またはプラスチック材料から作製される。
３０）リードインファンネル１３０の各々は、空の空間から作製される。
３１）２つのボタントンネル１３１の各々は、空の空間から作製される。
３２）２つのボタン１３２の各々は、金属またはプラスチック材料から作製される。
３３）折り畳み式調節可能中心トラス１３３の各々は、金属またはプラスチック材料から作製される。
３４）風および煙向け直し・調節可能周辺オーニングシステム１３４は、その構成要素の組み合わせられた材料から作製される。
３５）調節可能周辺オーニング１３５は、キャンバス、織物、ナイロン、同等物、均等物、または可撓性材料から作製される。
３６）折り畳み式調節可能オーニングトラス１３６の各々は、金属またはプラスチック材料から作製される。
３７）回転可能オーニングトラススリーブ１３７の各々は、金属またはプラスチック材料から作製される。
３８）多機能フック、ロープ、杭、滑車輪システム１３８は、その構成要素の組み合わせられた材料から作製される。
３９）フック１３９の各々は、金属またはプラスチック材料から作製される。
４０）ロープおよび杭孔１４０の各々は、空の空間から作製される。
４１）ロープ１４１の各々は、キャンバス、織物、ナイロン、同等物、均等物、または可撓性材料から作製される。
４２）杭１４２の各々は、金属またはプラスチック材料から作製される。
４３）滑車輪アーム１４３の各々は、金属またはプラスチック材料から作製される。
４４）滑車輪車軸１４４の各々は、金属またはプラスチック材料から作製される。
４５）滑車輪１４５の各々は、金属またはプラスチック材料から作製される。
【００５９】
（形状）
図１Ａ、図１Ｂ、図１Ｃ、図１Ｄ、図２Ａ、図２Ｂ、図３、図４Ａ、図４Ｂ、図５、図６Ａ、図６Ｂ、図７、図８、図９、図１０、図１１、図１２、図１３Ａ、図１３Ｂ、図１３Ｃ、図１４、図１５Ａ、図１５Ｂ、図１６Ａ、および１６Ｂを参照すると、
１）支柱センタリング、ダニ防止、水排出、折り畳み式風および煙向け直し調節可能リング天蓋システム１０１は、その構成要素の組み合わせられた形状を有する。
２）調節可能リング天蓋１０２は、正方形リング形状に形成される。
３）中心交差部１０３は、４つのＵ形アームを伴う丸い形状に形成される。
４）交差部孔１０４の各々は、丸い形状に形成される。
５）ボルト１０５の各々は、六角形ヘッドを伴うボルト形状に形成される。
６）ナット１０６の各々は、六角形リング形状に形成される。
７）折り畳み式上部トラス１０７ａの各々は、長方形または楕円形管形状に形成される。
上部トラスコネクタ１０７ｂの各々は、Ｕ形に形成される。
８）折り畳み式コーナートラス１０８の各々は、長方形または楕円形管形状に形成される。
９）折り畳み式側面トラス１０９の各々は、長方形または楕円形管形状に形成される。
１０）トラス孔１１０の各々は、丸い形状に形成される。
１１）４つの上側コーナー交差部１１１の各々は、１つの閉鎖端、１つの開放端、および３つのＵ形アームを伴う正方形管形状に形成される。
１２）４つの上側支柱１１２の各々は、正方形断面を伴う管状形状に形成される。
１３）４つの下側コーナー交差部１１３の各々は、開放端および３つのＵ形アームを伴う正方形管形状に形成される。
１４）４つのコーナー交差部止め具１１４の各々は、円筒形形状に形成される。
１５）４つのスリーブ１１５の各々は、正方形リング形状に形成される。
１６）支柱センタリングクランプ１１６の各々は、下弦の月形状に形成される。
１７）ダニ防止下向き歯１１７の各々は、ピラミッド形状に形成される。
１８）水排出溝１１８の各々は、半月形状に形成される。
１９）４つの支柱高さ調節ばね負荷ロッカ１１９の各々は、Ｃ形に形成される。
２０）４つの支柱高さ調節ニップル１２０の各々は、半月形状に形成される。
２１）４つの下側支柱１２１の各々は、正方形断面を伴う管状形状に形成される。
２２）支柱高さ調節孔１２２の各々は、半月形状に形成される。
２３）中心内面ロック・風および煙向け直し・調節可能中心天蓋システム１２３は、その構成要素の組み合わせられた形状を有する。
２４）調節可能中心天蓋１２４は、正方形形状に形成される。
２５）中心正方形支柱１２５は、正方形断面を伴う管状形状に形成される。
２６）中心支柱孔１２６の各々は、丸い形状に形成される。
２７）中心内面ロックダブルＣ形ばね１２７は、ダブルＣ形形状に形成される。
２８）中心内面ロックダブルニップル１２８の各々は、ニップル形状に形成される。
２９）中心内面ロック調節可能リング１２９は、複数の正方形内面の正方形中心孔を伴い、複数の周辺Ｕ形トラスブラケットを伴う丸形リング形状に形成される。
３０）リードインファンネル１３０の各々は、漏斗形状に形成される。
３１）２つのボタントンネル１３１の各々は、本体区分、より小さい直径の底部区分、およびより小さい直径の上部区分を伴う円筒形形状に形成される。
３２）２つのボタン１３２の各々は、本体区分とより大きい直径のテーパ状胴体区分とを伴う円筒形形状に形成される。
３３）折り畳み式調節可能中心トラス１３３の各々は、長方形または楕円形管形状に形成される。
３４）風および煙向け直し・調節可能周辺オーニングシステム１３４は、その構成要素の組み合わせられた形状を有する。
３５）調節可能周辺オーニング１３５は、正方形リング形状に形成される。
３６）折り畳み式調節可能オーニングトラス１３６の各々は、長方形または楕円形管形状に形成される。
３７）回転可能オーニングトラススリーブ１３７の各々は、長方形または楕円形管形状に形成される。
３８）多機能フック、ロープ、杭、滑車輪システム１３８は、その構成要素の組み合わせられた形状を有する。
３９）フック１３９の各々は、半月形状に形成される。
４０）ロープおよび杭孔１４０の各々は、丸い形状に形成される。
４１）ロープ１４１の各々は、紐形状に形成される。
４２）杭１４２の各々は、釘形状に形成される。
４３）滑車輪アーム１４３の各々は、略長方形形状に形成される。
４４）滑車輪車軸１４４の各々は、円筒形形状に形成される。
４５）滑車輪１４５の各々は、滑車形状に形成される。
【００６０】
（接続）
図１Ａ、図１Ｂ、図１Ｃ、図１Ｄ、図２Ａ、図２Ｂ、図３、図４Ａ、図４Ｂ、図５、図６Ａ、図６Ｂ、図７、図８、図９、図１０、図１１、図１２、図１３Ａ、図１３Ｂ、図１３Ｃ、図１４、図１５Ａ、図１５Ｂ、図１６Ａ、および１６Ｂを参照すると、
１）支柱センタリング、ダニ防止、水排出、折り畳み式風および煙向け直し調節可能リング天蓋システム１０１は、その構成要素の組み合わせられた接続を有する。
２）調節可能リング天蓋１０２は、折り畳み式上部トラス１０７ａに取り付けられる。
３）中心交差部１０３は、折り畳み式上部トラス１０７ａに旋回可能にボルト留めされる。
４）交差部孔１０４は、それぞれ、中心交差部１０３内に成形され、それぞれ、４つの上側コーナー交差部１１１内に成形され、それぞれ、４つの下側コーナー交差部１１３内に成形される。
５）ボルト１０５は、それぞれ、交差部孔１０４に挿入される。
６）ナット１０６は、それぞれ、ボルト１０５上にねじ式で留められる。
７）折り畳み式上部トラス１０７ａは、それぞれ、該調節可能リング天蓋１０２に取り付けられ、それぞれ、中心交差部１０３に旋回可能にボルト留めされる。
上部トラスコネクタ１０７ｂは、それぞれ、折り畳み式上部トラス１０７ａに旋回可能にボルト留めされる。
８）折り畳み式コーナートラス１０８は、それぞれ、折り畳み式上部トラス１０７ａに旋回可能にボルト留めされる。
９）折り畳み式側面トラス１０９は、それぞれ、互いに旋回可能にボルト留めされる。
１０）トラス孔１１０は、それぞれ、折り畳み式上部トラス１０７ａの中に穿孔され、それぞれ、折り畳み式コーナートラス１０８の中に穿孔され、それぞれ、折り畳み式側面トラス１０９の中に穿孔され、それぞれ、折り畳み式調節可能中心トラス１３３の中に穿孔される。
１１）４つの上側コーナー交差部１１１は、それぞれ、折り畳み式上部トラス１０７ａに旋回可能にボルト留めされ、それぞれ、該折り畳み式側面トラス１０９に旋回可能にボルト留めされる。
１２）４つの上側支柱１１２は、それぞれ、４つの上側コーナー交差部１１１に取り付けられる。
１３）４つの下側コーナー交差部１１３は、それぞれ、該折り畳み式コーナートラス１０８に旋回可能にボルト留めされ、それぞれ、該折り畳み式側面トラス１０９に旋回可能にボルト留めされ、それぞれ、４つの上側支柱１１２上で旋回可能にスライドさせられる。
１４）４つのコーナー交差部止め具１１４は、それぞれ、４つの下側コーナー交差部１１３の上方の４つの上側支柱１１２に取り付けられる。
１５）４つのスリーブ１１５は、それぞれ、４つの上側支柱１１２の底部端上でスライドさせられる。
１６）支柱センタリングクランプ１１６は、それぞれ、４つのスリーブ１１５に成形される。
１７）ダニ防止下向き歯１１７は、それぞれ、４つのスリーブ１１５に成形される。
１８）水排出溝１１８は、それぞれ、４つのスリーブ１１５に成形される。
１９）４つの支柱高さ調節ばね負荷ロッカ１１９は、それぞれ、４つのスリーブ１１５に成形される。
２０）４つの支柱高さ調節ニップル１２０は、それぞれ、４つの支柱高さ調節ばね負荷ロッカ１１９に成形される。
２１）４つの下側支柱１２１は、それぞれ、４つの上側支柱１１２の内側にスライド可能に挿入される。
２２）支柱高さ調節孔１２２は、それぞれ、４つの上側支柱１１２および４つの下側支柱１２１内に形成される。
２３）中心内面ロック・風および煙向け直し・調節可能中心天蓋システム１２３は、その構成要素の組み合わせられた接続を有する。
２４）調節可能中心天蓋１２４は、折り畳み式調節可能中心トラス１３３に取り付けられる。
２５）中心正方形支柱１２５は、中心交差部１０３に取り付けられる。
２６）中心支柱孔１２６は、それぞれ、中心正方形支柱１２５内に形成される。
２７）中心内面ロックダブルＣ形ばね１２７は、中心正方形支柱１２５の内側に挿入される。
２８）中心内面ロックダブルニップル１２８は、それぞれ、中心内面ロックダブルＣ形ばね１２７に成形される。
２９）中心内面ロック調節可能リング１２９は、調節可能かつスライド可能に中心正方形支柱１２５上にロックされ、それからロック解除される。
３０）リードインファンネル１３０は、それぞれ、中心内面ロック調節可能リング１２９の一方の端部に成形される。
３１）２つのボタントンネル１３１は、それぞれ、中心内面ロック調節可能リング１２９の外面から内面に成形される。
３２）２つのボタン１３２は、それぞれ、２つのボタントンネル１３１の中にスナップ嵌めされる。
３３）折り畳み式調節可能中心トラス１３３は、それぞれ、折り畳み式上部トラス１０７ａに旋回可能にボルト留めされ、それぞれ、該調節可能中心天蓋１２４に取り付けられ、それぞれ、中心内面ロック調節可能リング１２９に旋回可能にボルト留めされる。
３４）風および煙向け直し・調節可能周辺オーニングシステム１３４は、その構成要素の組み合わせられた接続を有する。
３５）調節可能周辺オーニング１３５は、折り畳み式調節可能オーニングトラス１３６に取り付けられる。
３６）折り畳み式調節可能オーニングトラス１３６は、それぞれ、上部トラスコネクタ１０７ａに旋回可能にボルト留めされるか、または、それぞれ、折り畳み式上部トラス１０７ｂに旋回可能にボルト留めされ、および、それぞれ、該調節可能周辺オーニング１３５に取り付けられる。
３７）回転可能オーニングトラススリーブ１３７は、それぞれ、４つの上側支柱１１２に旋回可能に取り付けられ、それぞれ、該折り畳み式調節可能オーニングトラス１３６上でスライド可能にスライドさせられる。
３８）多機能フック、ロープ、杭、滑車輪システム１３８は、その構成要素の組み合わせられた接続を有する。
３９）フック１３９は、それぞれ、４つの下側支柱１２１に溶接または成形される。
４０）ロープおよび杭孔１４０は、それぞれ、フック１３９内に形成される。
４１）ロープ１４１は、それぞれ、ロープおよび杭孔１４０のうちの少なくとも１つに通され、それぞれ、４つの下側支柱１２１またはフック１３９のうちの少なくとも１つに引っ掛けられる。
４２）杭１４２は、それぞれ、ロープおよび杭孔１４０を通して打ち込まれる。
４３）滑車輪アーム１４３は、それぞれ、フック１３９に溶接または成形される。
４４）滑車輪車軸１４４は、それぞれ、滑車輪アーム１４３に、かつその間に取り付けられる。
４５）滑車輪１４５は、それぞれ、滑車輪車軸１４４上で回転可能にスライドさせられる。
【００６１】
（機能）
図１７Ａ、図１７Ｂ、図１７Ｃ、図１８Ａ、図１８Ｂ、図１８Ｃ、図１９Ａ、図１９Ｂ、図１９Ｃ、図１９Ｄ、図１９Ｅ、図１９Ｆ、図１９Ｇ、図１９Ｈ、図２０Ａ、図２０Ｂ、図２０Ｃ、図２０Ｄ、図２０Ｅ、図２０Ｆ、図２０Ｇ、図２０Ｈ、図２１Ａ、図２１Ｂ、図２１Ｃ、図２１Ｄ、図２２Ａ、図２２Ｂ、図２２Ｃ、および図２３を参照すると、
１）支柱センタリング、ダニ防止、水排出、折り畳み式風および煙向け直し調節可能リング天蓋システム１０１はその構成要素の組み合わせられた機能を実施するためのものである。
２）調節可能リング天蓋１０２は、
ａ）天候要素からユーザを保護するためのカバーを提供し、
ｂ）調節可能リング天蓋１０２の上方の風および煙を調節可能中心天蓋、調節可能周辺天蓋、調節可能オーニング単一中心内面正方形ロック・ポップアップの内側に向け直し、
ｃ）調節可能中心天蓋、調節可能周辺天蓋、調節可能オーニング単一中心内面正方形ロック・ポップアップの下から外に、かつ離れるように流動するように風および煙を向け直し、
ｄ）調節可能中心天蓋、調節可能周辺天蓋、調節可能オーニング単一中心内面正方形ロック・ポップアップの内側に光が入り込むことを可能にするためのものである。
３）中心交差部１０３は、折り畳み式上部トラス１０７ａに折り畳み可能に取り付けるためのものである。
４）交差部孔１０４は、それぞれ、それにボルト１０５をねじ式で留めるためのものである。
５）ボルト１０５は、それぞれ、中心交差部１０３、折り畳み式上部トラス１０７ａ、上部トラスコネクタ１０７ｂ、折り畳み式コーナートラス１０８、折り畳み式側面トラス１０９、４つの上側コーナー交差部１１１、４つの下側コーナー交差部１１３、中心内面ロック調節可能リング１２９、および折り畳み式調節可能中心トラス１３３を一緒に取り付けるためのものである。
６）ナット１０６は、それぞれ、ボルト１０５を固定するためのものである。
７）折り畳み式上部トラス１０７ａは、それぞれ、中心交差部１０３を支持するためのものである。
上部トラスコネクタ１０７ｂは、それぞれ、折り畳み式上部トラス１０７ａを旋回可能に結合するためのものである。
８）折り畳み式コーナートラス１０８は、それぞれ、折り畳み式上部トラス１０７ａを旋回可能に支持するためのものである。
９）折り畳み式側面トラス１０９は、それぞれ、折り畳み式上部トラス１０７ａを支持するためのものである。
１０）トラス孔１１０は、それぞれ、それにボルト１０５を挿入するためのものである。
１１）４つの上側コーナー交差部１１１は、それぞれ、折り畳み式上部トラス１０７ａ、折り畳み式コーナートラス１０８、および折り畳み式側面トラス１０９を４つの上側支柱１１２に取り付けるためのものである。
１２）４つの上側支柱１１２は、それぞれ、４つの下側支柱１２１にわたったスライド可能にスライドするためのものである。
１３）４つの下側コーナー交差部１１３は、それぞれ、折り畳み式側面トラス１０９を４つの上側支柱１１２にスライド可能に取り付けるためのものである。
１４）４つのコーナー交差部止め具１１４は、それぞれ、４つの下側コーナー交差部１１３が上向きにスライドすることを防止するためのものである。
１５）４つのスリーブ１１５は、それぞれ、４つの上側支柱１１２および４つの下側支柱１２１が互いに傷つけることを防止するためのものである。
１６）支柱センタリングクランプ１１６は、それぞれ、４つの上側支柱１１２の内側に４つの下側支柱１２１を中心に据えるためのものである（図１７Ａおよび図１７Ｂ参照）。
１７）ダニ防止下向き歯１１７は、それぞれ、４つの上側支柱１１２および４つの下側支柱１２１の内側にダニが入ることを防止するためのものである（図１７Ｃ参照）。
１８）水排出溝１１８は、それぞれ、水が４つの上側支柱１１２および４つの下側支柱１２１から外に矢印１４６の方向に排出されることを可能にするためのものである（図１７Ｃ参照）。
１９）４つの支柱高さ調節ばね負荷ロッカ１１９は、それぞれ、４つの支柱高さ調節ニップル１２０を支柱高さ調節孔１２２の中に押し、４つの上側支柱１１２を４つの下側支柱１２１に固定するためのものである。
２０）４つの支柱高さ調節ニップル１２０は、それぞれ、支柱高さ調節孔１２２の中にスナップロックし、４つの上側支柱１１２を４つの下側支柱１２１に固定するためのものである。
２１）４つの下側支柱１２１は、それぞれ、調節可能中心天蓋、調節可能周辺天蓋、調節可能オーニング単一中心内面正方形ロック・ポップアップの高さを調節するためのものである。
２２）支柱高さ調節孔１２２は、それぞれ、４つの支柱高さ調節ニップル１２０がそれを通してスナップロックすることを可能にし、４つの上側支柱１１２を４つの下側支柱１２１に固定するためのものである。
２３）中心内面ロック・風および煙向け直し・調節可能中心天蓋システム１２３は、その構成要素の組み合わせられた機能を実施するためのものである。
２４）調節可能中心天蓋１２４は、
ａ）調節可能中心天蓋、調節可能周辺天蓋、調節可能オーニング単一中心内面正方形ロック・ポップアップの中心を覆い、
ｂ）調節可能リング天蓋１０２の上方の風および煙を調節可能中心天蓋、調節可能周辺天蓋、調節可能オーニング単一中心内面正方形ロック・ポップアップの内側に向け直し、
ｃ）調節可能中心天蓋、調節可能周辺天蓋、調節可能オーニング単一中心内面正方形ロック・ポップアップの下から外に、かつ離れるように流動するように風および煙を向け直し、
ｄ）調節可能中心天蓋、調節可能周辺天蓋、調節可能オーニング単一中心内面正方形ロック・ポップアップの内側に光が入り込むことを可能にするためのものである。
２５）中心正方形支柱１２５は、
ａ）その上に中心内面ロック調節可能リング１２９をロックし、
ｂ）調節可能中心天蓋、調節可能周辺天蓋、調節可能オーニング単一中心内面正方形ロック・ポップアップがその所望の形状から時計回りに半径方向に捻じれることを防止し、
ｃ）調節可能中心天蓋、調節可能周辺天蓋、調節可能オーニング単一中心内面正方形ロック・ポップアップがその所望の形状から反時計回りに半径方向に捻じれることを防止し、
ｄ）その正方形断面を用いて調節可能中心天蓋、調節可能周辺天蓋、調節可能オーニング単一中心内面正方形ロック・ポップアップを補強するためのものである。
２６）中心支柱孔１２６は、それぞれ、中心内面ロックダブルニップル１２８がその中にスナップロックすることを可能にし、中心正方形支柱１２５を中心内面ロック調節可能リング１２９および折り畳み式調節可能中心トラス１３３に固定するためのものである。
２７）中心内面ロックダブルＣ形ばね１２７は、中心内面ロックダブルニップル１２８を中心支柱孔１２６の中に押すためのものである。
２８）中心内面ロックダブルニップル１２８は、それぞれ、
ａ）中心内面ロック調節可能リング１２９が、中心正方形支柱１２５の上下に矢印１４８ａおよび１４８ｂの対向する方向にスライドするとき、矢印１４７ａ、１４７ｂ、１４７ｃ、および１４７ｄの対向する方向に中心内面ロック調節可能リング１２９の内外にスナップロックし（図１８Ａ、図１８Ｂ、および図１８Ｃ参照）、
ｂ）同一平面１４９ａまたは１４９ｂ上で中心内面ロック調節可能リング１２９および折り畳み式調節可能中心トラス１３３に、および、それから中心正方形支柱１２５、中心内面ロックダブルニップル１２８をロックおよびロック解除させ（図１８Ａ、図１８Ｂ、および図１８Ｃ参照）、
ｃ）調節可能中心天蓋１２４の高さを調節し、調節可能中心天蓋１２４を上昇および下降させ、調節可能中心天蓋１２４と調節可能リング天蓋１０２との間の開口部を矢印１５０ａおよび１５０ｂの対向する方向に開放および閉鎖し（図１９Ａ、図１９Ｂ、図１９Ｃ、および図１９Ｄ参照）、調節可能中心天蓋１２４を上昇および下降させ、
ｄ）調節可能周辺オーニング１３５の高さを調節し、調節可能周辺オーニング１３５を矢印１５１ａおよび１５１ｂの対向する方向に上昇および下降させ（図１９Ａ、図１９Ｂ、図１９Ｃ、および図１９Ｄ参照）、
ｅ）単一中心内面正方形ロック・ポップアップが折り畳まれた後、または展開された後、調節可能中心天蓋、調節可能周辺天蓋、調節可能オーニング単一中心内面正方形ロック・ポップアップをロックおよびロック解除するためのものである。
２９）中心内面ロック調節可能リング１２９は、
ａ）中心内面ロック調節可能リング１２９が、中心正方形支柱１２５の上下に矢印１４８ａおよび１４８ｂの対向する方向にスライドするとき、矢印１４７ａ、１４７ｂ、１４７ｃ、および１４７ｄの対向する方向に、中心内面ロックダブルニップル１２８の内外にスナップロックし（図１８Ａ、図１８Ｂ、および図１８Ｃ参照）、
ｂ）同一平面１４９ａまたは１４９ｂ上で中心内面ロック調節可能リング１２９および折り畳み式調節可能中心トラス１３３に、およびそれから中心正方形支柱１２５および中心内面ロックダブルニップル１２８をロックおよびロック解除させ（図１８Ａ、図１８Ｂ、および図１８Ｃ参照）、
ｃ）調節可能中心天蓋１２４の高さを調節し、調節可能中心天蓋１２４を上昇および下降させ、調節可能中心天蓋１２４と調節可能リング天蓋１０２との間の開口部を矢印１５０ａおよび１５０ｂの対向する方向に開放および閉鎖し（図１９Ａ、図１９Ｂ、図１９Ｃ、および図１９Ｄ参照）、
ｄ）調節可能周辺オーニング１３５の高さを調節し、調節可能周辺オーニング１３５を矢印１５１ａおよび１５１ｂの対向する方向に上昇および下降させ（図１９Ａ、図１９Ｂ、図１９Ｃ、および図１９Ｄ参照）、
ｅ）調節可能リング天蓋１０２の高さを調節し、調節可能リング天蓋１０２を矢印１５１ａおよび１５１ｂの対向する方向に上昇および下降させ（図１９Ａ、図１９Ｂ、図１９Ｃ、および図１９Ｄ参照）、
ｆ）調節可能中心天蓋、調節可能周辺天蓋、調節可能オーニング単一中心内面正方形ロックポップが矢印１５１ｃ、１５１ｄ、１５１ｅ、および１５１ｆの方向において、その所望の形状から時計回りおよび反時計回りに半径方向に捻じれることを防止し（図１９Ｅ、図１９Ｆ、図１９Ｇ、および図１９Ｈ参照）、
ｇ）単一中心内面正方形ロック・ポップアップが折り畳まれた後、または展開された後に調節可能中心天蓋、調節可能周辺天蓋、調節可能オーニング単一中心内面正方形ロック・ポップアップをロックおよびロック解除するためのものである（図１Ａ、図１６Ａ、および図１６Ｂ参照）。
３０）リードインファンネル１３０は、それぞれ、中心内面ロックダブルニップル１２８を中心内面ロック調節可能リング１２９の内面上に導くためのものである。
３１）２つのボタントンネル１３１は、それぞれ、２つのボタン１３２を格納するためのものである。
３２）２つのボタン１３２は、それぞれ、２つのボタントンネル１３１から外に中心内面ロックダブルニップル１２８を押すためのものである。
３３）折り畳み式調節可能中心トラス１３３は、それぞれ、
ａ）調節可能中心天蓋１２４の高さを調節し、調節可能中心天蓋１２４を上昇および下降させ、
ｂ）調節可能中心天蓋１２４と調節可能リング天蓋１０２との間の開口部を矢印１５０ａおよび１５０ｂの対向する方向に開放および閉鎖し（図１９Ａ、図１９Ｂ、図１９Ｃ、および図１９Ｄ参照）、
ｃ）調節可能中心天蓋１２４を折り畳み、および展開するためのものである。
３４）風および煙向け直し・調節可能周辺オーニングシステム１３４は、その構成要素の組み合わせられた機能を実施するためのものである。
３５）調節可能周辺オーニング１３５は、
ａ）調節可能中心天蓋、調節可能周辺天蓋、調節可能オーニング単一中心内面正方形ロック・ポップアップの周辺エリアを覆い、
ｂ）調節可能リング天蓋１０２の下の風および煙を調節可能中心天蓋、調節可能周辺天蓋、調節可能オーニング単一中心内面正方形ロック・ポップアップの内側に向け直し、
ｃ）調節可能中心天蓋、調節可能周辺天蓋、調節可能オーニング単一中心内面正方形ロック・ポップアップの下から外に、かつ離れるように流動するように風および煙を向け直し、
ｄ）調節可能中心天蓋、調節可能周辺天蓋、調節可能オーニング単一中心内面正方形ロック・ポップアップの内側に光が入り込むことを可能にするためのものである。
３６）折り畳み式調節可能オーニングトラス１３６は、それぞれ、
ａ）調節可能周辺オーニング１３５の高さを調節し、調節可能周辺オーニング１３５を矢印１５１ａおよび１５１ｂの対向する方向に上昇および下降させ（図１９Ａ、図１９Ｂ、図１９Ｃ、および図１９Ｄ参照）、
ｂ）調節可能周辺オーニング１３５を折り畳み、および展開するためのものである。
３７）回転可能オーニングトラススリーブ１３７は、それぞれ、４つの上側支柱１１２を折り畳み式調節可能オーニングトラス１３６にスライド可能かつ旋回可能に取り付けるためのものである。例えば、調節可能リング天蓋１０２と、調節可能中心天蓋１２４と、調節可能周辺オーニング１３５との間の開口部は、矢印１５２ａ、１５２ｂ、１５２ｃ、および１５２ｄの方向に（図２０Ａ参照）、矢印１５３ａ、１５３ｂ、１５３ｃ、および１５３ｄの方向に（図２０Ｂ参照）、矢印１５４ａ、１５４ｂ、１５４ｃ、および１５４ｄの方向に（図２０Ｃ参照）、矢印１５５ａ、１５５ｂ、１５５ｃ、および１５５ｄの方向に（図２０Ｄ参照）、矢印１５６ａ、１５６ｂ、１５６ｃ、および１５６ｄの方向に（図２０Ｅ参照）、矢印１５７ａ、１５７ｂ、１５７ｃ、および１５７ｄの方向に（図２０Ｆ参照）、矢印１５８ａおよび１５８ｂの方向に（図２０Ｇ参照）、矢印１５９ａおよび１５９ｂの方向に（図２０Ｈ参照）、調節可能中心天蓋、調節可能周辺天蓋、調節可能オーニング単一中心内面正方形ロックポップの内外に風および煙を向け直す。
３８）多機能フック、ロープ、杭、滑車輪システム１３８は、その構成要素の組み合わせられた機能を実施するためのものである。
３９）フック１３９は、それぞれ、それにロープ１４１を引っ掛けるためのものである（図２１Ａ、図２１Ｂ、図２１Ｃ、および図２１Ｄ参照）。
４０）ロープおよび杭孔１４０は、それぞれ、
ａ）ロープ１４１をそれに通し（図２１Ａ、図２１Ｂ、図２１Ｃ、および図２１Ｄ参照）、
ｂ）それを通して杭１４２を打ち込むためのものである。
４１）ロープ１４１は、それぞれ、
ａ）フック１３９のうちの少なくとも１つに引っ掛けられ、
ｂ）４つの下側支柱１２１のうちの少なくとも１つに引っ掛けられるためのものである。
４２）杭１４２は、それぞれ、調節可能中心天蓋、調節可能周辺天蓋、調節可能オーニング単一中心内面正方形ロックポップを地面に取り付けるためのものである。
４３）滑車輪アーム１４３は、それぞれ、滑車輪車軸１４４をフック１３９に取り付けるためのものである。
４４）滑車輪車軸１４４は、それぞれ、滑車輪１４５を滑車輪アーム１４３に取り付けるためのものである。
４５）滑車輪１４５は、それぞれ、
ａ）ロープ１４１をその上に巻くための滑車として機能し、ロープ１４１を引っ張り、調節可能リング天蓋１０２および／または調節可能周辺オーニング１３５をぴんと張るために必要とされるロープ引っ張り力を低減させ（図２１Ｃ、図２１Ｄ、図２２Ａ、および図２２Ｂ参照）、
ｂ）車輪として機能し、輸送および保管のために調節可能中心天蓋、調節可能周辺天蓋、調節可能オーニング単一中心内面正方形ロックポップが地面または表面に沿って転がされることを可能にし（図１６Ｂ参照）、
ｃ）４つの下側支柱１２１を一緒に縛るためにロープおよび杭孔１４０と協働し、調節可能中心天蓋、調節可能周辺天蓋、調節可能オーニング単一中心内面正方形ロック・ポップアップの上に位置する重い雪が存在するとき、または、調節可能中心天蓋、調節可能周辺天蓋、調節可能オーニング単一中心内面正方形ロック・ポップアップ上に懸下される重いアイテムが存在するとき、４つの下側支柱１２１が外向きに広がることを防止するためのものである（図２２Ａ、図２２Ｂ、図２２Ｃ、および図２３参照）。
【００６２】
（変形例）
調節可能中心天蓋、調節可能周辺天蓋、調節可能オーニング単一中心内面正方形ロック・ポップアップの任意の構成要素は、任意の形状およびサイズを有することができる。
【００６３】
調節可能中心天蓋、調節可能周辺天蓋、調節可能オーニング単一中心内面正方形ロック・ポップアップの任意の構成要素は、同等の構成要素と置換されることができる。調節可能中心天蓋、調節可能周辺天蓋、調節可能オーニング単一中心内面正方形ロック・ポップアップの任意の構成要素は、任意の材料または任意の材料の任意の組み合わせから作製されることができる。調節可能中心天蓋、調節可能周辺天蓋、調節可能オーニング単一中心内面正方形ロック・ポップアップの任意の構成要素は、任意の可撓性、半可撓性、曲げ可能、半曲げ可能、伸縮可能、半伸縮可能、剛体、または半剛体材料から作製されることができる。調節可能中心天蓋、調節可能周辺天蓋、調節可能オーニング単一中心内面正方形ロック・ポップアップの任意の構成要素の取り付け方法は、同等の方法と置換されることができる。例えば、図２４Ａ、図２４Ｂ、２４Ｃ、および図２４Ｄは、風および煙を調節可能中心天蓋、調節可能周辺天蓋、調節可能オーニング単一中心内面正方形ロック・ポップアップの内側の内外に、矢印１６０ａ、１６０ｂ、１６０ｃ、および１６０ｄの方向に向け直す調節可能リング天蓋１０２および調節可能周辺オーニング１３５の同等の変形例の斜視図および正面図を図示する。例えば、図２５Ａおよび図２５Ｂは、中心内面ロックダブルＣ形ばね１２７の同等の変形例の断面図を図示する。同等の変形例の各々は、１つまたは２つのニップルを有する中心内面ロックＶ形ばねであり得る。例えば、図２６Ａは、中心内面ロック・風および煙向け直し・調節可能中心天蓋システム１２３が中心丸形支柱と組み立てられる方法の斜視図を図示する。例えば、図２６Ｂは、いかなる風および煙向け直し・調節可能周辺オーニングシステム１３４およびいかなる滑車輪１４５も有していない調節可能中心天蓋、調節可能周辺天蓋、調節可能オーニング単一中心内面正方形ロック・ポップアップの同等の変形例の斜視図を図示する。例えば、図２７Ａ、図２７Ｂ、図２７Ｃ、図２７Ｄ、図２７Ｅ、および図２７Ｆは、２つのボタン１３２の同等の変形例１６１ａおよび１６１ｂの斜視図、断面図、および正面図を図示する。同等の変形例１６１ａおよび１６１ｂの各々は、Ｌ形に形成され、各々は、中心内面ロックダブルニップル１２８を中心支柱孔１２６の内側に戻るように押し、中心内面ロック調節可能リング１２９が中心正方形支柱１２５の上下にスライドすることを可能にするために、中心内面ロック調節可能リング１２９に旋回可能に取り付けられる。例えば、図２８Ａ、図２８Ｂ、図２８Ｃ、および図２８Ｄは、調節可能中心天蓋、調節可能周辺天蓋、調節可能オーニング単一中心内面正方形ロックポップ、フック１３９、および滑車輪１４５の同等の変形例の正面図および斜視図を図示する。
【００６４】
（本発明の主要な利点）
本発明は、従来技術の従来の概念および設計と実質的に異なる。そうすることで、本発明は、多くの一意かつ有意な特徴、機能、および利点を有する調節可能中心天蓋・調節可能リング天蓋・調節可能周辺オーニング・単一中心内面正方形ロック・ポップアップ（（ａ）支柱センタリング、ダニ防止、水排出、風および煙向け直しリング天蓋システム、ｂ）中心内面ロック風および煙向け直し中心天蓋システム、ｃ）風および煙向け直し・周辺オーニングシステム、および、ｄ）多機能フック、ロープ、杭、滑車輪システムを有する）を提供し、以下のように、従来技術の全ての不利点を克服する：
１）新しい発明の目的は、調節可能リング天蓋１０２と、調節可能中心天蓋１２４と、調節可能周辺オーニング１３５とを有する調節可能中心天蓋・調節可能リング天蓋・調節可能周辺オーニング・単一中心内面正方形ロック・ポップアップを提供することである。したがって、調節可能中心天蓋・調節可能リング天蓋・調節可能周辺オーニング・単一中心内面正方形ロック・ポップアップは、
ａ）日よけを占有者に提供し、日焼けを防止することができる。
ｂ）調節可能中心天蓋・調節可能リング天蓋・調節可能周辺オーニング・単一中心内面正方形ロック・ポップアップの内外への空気流を増加させるために上下に調節され、占有者を涼しい状態に保つことができる。
ｃ）調節可能中心天蓋・調節可能リング天蓋・調節可能周辺オーニング・単一中心内面正方形ロック・ポップアップから外への空気流に役立ち、可能中心天蓋、調節可能リング天蓋、調節可能周辺オーニング、単一中心内面正方形ロック・ポップアップからの煙の退出を補助することができる。
ｄ）雨保護を提供し、占有者を乾燥した状態に保つことができる。
２）新しい発明の別の目的は、中心内面ロック調節可能リング１２９を有する調節可能中心天蓋、調節可能周辺天蓋、調節可能オーニング単一中心内面正方形ロック・ポップアップを提供することである。したがって、調節可能中心天蓋、調節可能周辺天蓋、調節可能オーニング単一中心内面正方形ロック・ポップアップは、
ａ）中心正方形支柱１２５を残りの天蓋構造にロックし、調節可能中心天蓋・調節可能リング天蓋・調節可能周辺オーニング・単一中心内面正方形ロック・ポップアップの全体的強度を高めることができる。
ｂ）天蓋を一緒にロックし、調節可能中心天蓋・調節可能リング天蓋・調節可能周辺オーニング・単一中心内面正方形ロック・ポップアップが崩れることを防止することができる。
ｃ）ロック点の合計数を減少させ、設営をより容易にすることができる。
ｄ）中心内面ロック調節可能リング１２９および２つのボタントンネル１３１と同じ平面上で４つの支柱高さ調節ニップル１２０および中心正方形支柱１２５をロックし、風が、調節可能中心天蓋・調節可能リング天蓋・調節可能周辺オーニング・単一中心内面正方形ロック・ポップアップを捻じり、および曲げようとしているとき、４つの支柱高さ調節ニップル１２０が２つのボタントンネル１３１から外に捻じれることおよび曲がることを防止することができる。
３）新しい発明の別の目的は、滑車輪１４５を有する調節可能中心天蓋・調節可能リング天蓋・調節可能周辺オーニング・単一中心内面正方形ロック・ポップアップを提供することである。したがって、調節可能中心天蓋・調節可能リング天蓋・調節可能周辺オーニング・単一中心内面正方形ロック・ポップアップは、
ａ）ロープ１４１を通すための滑車として使用され、天蓋をぴんと張ることができる。
ｂ）折り畳まれた構成にあるとき、地面に沿って調節可能中心天蓋・調節可能リング天蓋・調節可能周辺オーニング・単一中心内面正方形ロック・ポップアップを転がすために使用され、輸送をより容易にすることができる。
ｃ）完全に建てられているとき、調節可能中心天蓋・調節可能リング天蓋・調節可能周辺オーニング・単一中心内面正方形ロック・ポップアップを移動させることを補助するために使用され、調節可能中心天蓋・調節可能リング天蓋・調節可能周辺オーニング・単一中心内面正方形ロック・ポップアップを再配置することに役立つことができる。
ｄ）４つの下側支柱１２１を一緒に接続し、他のポップアップを調節可能中心天蓋・調節可能リング天蓋・調節可能周辺オーニング・単一中心内面正方形ロック・ポップアップに接続するためにロープ１４１と共に使用され、構造を強化および拡張し、４つの下側支柱１２１が外に曲がることを妨げることができる。
４）新しい発明のさらなる目的は、ダニ防止下向き歯１１７を有する調節可能中心天蓋・調節可能リング天蓋・調節可能周辺オーニング・単一中心内面正方形ロック・ポップアップを提供することである。したがって、調節可能中心天蓋・調節可能リング天蓋・調節可能周辺オーニング・単一中心内面正方形ロック・ポップアップは、
ａ）ダニが４つの上側支柱１１２および４つの下側支柱１２１の内側に入ることを防止し、占有者を疾患から保護することができる。
ｂ）天候要素が４つの上側支柱１１２および４つの下側支柱１２１の内側で起こることを妨げることに役立ち、調節可能中心天蓋・調節可能リング天蓋・調節可能周辺オーニング・単一中心内面正方形ロック・ポップアップのさびを防止し、その寿命を増加させることに役立つことができる。
ｃ）排水を補助し、さびを防止することに役立つことができる。
ｄ）追加の構造を４つのスリーブ１１５に提供し、４つの上側支柱１１２および４つの下側支柱１２１の強度を高めることができる。
５）新しい発明のなおさらなる目的は、支柱センタリングクランプ１１６を有する調節可能中心天蓋・調節可能リング天蓋・調節可能周辺オーニング・単一中心内面正方形ロック・ポップアップを提供することである。したがって、調節可能中心天蓋、調節可能周辺天蓋、調節可能オーニング単一中心内面正方形ロック・ポップアップは、
ａ）４つの上側支柱１１２内に４つの下側支柱１２１を中心に置き、組立および分解に役立つことができる。
ｂ）ダニが４つの上側支柱１１２および４つの下側支柱１２１の中に進入することを妨げることに役立ち、占有者を保護することができる。
ｃ）追加強度および安定性を４つの上側支柱１１２および４つの下側支柱１２１に提供し、占有者を安全に保ち、調節可能中心天蓋・調節可能リング天蓋・調節可能周辺オーニング・単一中心内面正方形ロック・ポップアップの寿命を増加させることができる。
ｄ）４つの上側支柱１１２および４つの下側支柱１２１が結合することを避け、調節可能中心天蓋・調節可能リング天蓋・調節可能周辺オーニング・単一中心内面正方形ロック・ポップアップを上下に調節することに役立つことができる。
６）新しい発明の別の目的は、中心正方形支柱１２５を有する調節可能中心天蓋・調節可能リング天蓋・調節可能周辺オーニング・単一中心内面正方形ロック・ポップアップを提供することである。したがって、調節可能中心天蓋・調節可能リング天蓋・調節可能周辺オーニング・単一中心内面正方形ロック・ポップアップは、
ａ）側方強度を調節可能中心天蓋・調節可能リング天蓋・調節可能周辺オーニング・単一中心内面正方形ロック・ポップアップに提供し、調節可能中心天蓋・調節可能リング天蓋・調節可能周辺オーニング・単一中心内面正方形ロック・ポップアップが半径方向に捻じれることを妨げることができる。
ｂ）天蓋構造を一緒にロックし、天蓋が崩れることを防止することができる。
ｃ）複数の調節場所を提供し、設営のための選択肢を与えることができる。
ｄ）全ロック点の合計数を減少させ、設営をより容易にすることができる。
７）新しい発明のまた別の目的は、リードインファンネル１３０を有する調節可能中心天蓋・調節可能リング天蓋・調節可能周辺オーニング・単一中心内面正方形ロック・ポップアップを提供することである。したがって、調節可能中心天蓋・調節可能リング天蓋・調節可能周辺オーニング・単一中心内面正方形ロック・ポップアップは、
ａ）中心正方形支柱１２５を中心内面ロック調節可能リング１２９の中に自動的に誘導し、
設営に役立つことができる。
ｂ）中心正方形支柱１２５を中心内面ロック調節可能リング１２９の上部および底部の両方の中に自動的に誘導し、上下調節をより容易にすることができる。
ｃ）中心内面ロックダブルニップル１２８を自動的に押し下げ、中心正方形支柱１２５のロックをより容易にすることができる。
ｄ）中心内面ロック調節可能リング１２９と中心正方形支柱１２５との間により少ない摩擦を自動的に提供し、設営および調節をより容易にすることができる。
８）新しい発明のなおもまた別の目的は、水排出溝１１８を有する調節可能中心天蓋・調節可能リング天蓋・調節可能周辺オーニング・単一中心内面正方形ロック・ポップアップを提供することである。したがって、調節可能中心天蓋・調節可能リング天蓋・調節可能周辺オーニング・単一中心内面正方形ロック・ポップアップは、
ａ）水が４つの上側支柱１１２および４つの下側支柱１２１から排水されることを可能にし、４つの上側支柱１１２および４つの下側支柱１２１がさびることを防止することができる。
ｂ）水が支柱の中に入ることを防止し、調節可能中心天蓋・調節可能リング天蓋・調節可能周辺オーニング・単一中心内面正方形ロック・ポップアップの寿命を延長させることに役立つことができる。
ｃ）虫に対して保護することに役立ち、占有者を保護することに役立つことができる。
ｄ）追加構造をスリーブに提供し、４つの上側支柱１１２および４つの下側支柱１２１の強度を高めることができる。
９）新しい発明のなおもまたなおさらなる目的は、折り畳み式調節可能オーニングトラス１３６を有する調節可能中心天蓋・調節可能リング天蓋・調節可能周辺オーニング・単一中心内面正方形ロック・ポップアップを提供することである。したがって、調節可能中心天蓋・調節可能リング天蓋・調節可能周辺オーニング・単一中心内面正方形ロック・ポップアップは、
ａ）周辺オーニング１３５のための支持を提供し、周辺オーニング１３５の織物が垂れることを妨げることができる。
ｂ）周辺オーニング１３５を上に調節し、空気流を外に向け直すことができる。
ｃ）周辺オーニング１３５を下に調節し、空気流を下に向け直すことができる。
ｄ）追加の支持を調節可能中心天蓋・調節可能リング天蓋・調節可能周辺オーニング・単一中心内面正方形ロック・ポップアップに提供し、全体的構造を強化することができる。
１０）新しい発明のなおもまたなおさらなる目的は、４つのスリーブ１１５を有する調節可能中心天蓋・調節可能リング天蓋・調節可能周辺オーニング・単一中心内面正方形ロック・ポップアップを提供することである。したがって、調節可能中心天蓋、調節可能周辺天蓋、調節可能オーニング単一中心内面正方形ロック・ポップアップは、
ａ）４つの上側支柱１１２および４つの下側支柱１２１が互いに傷つけることを防止し、早期の摩耗またはさびを防止することができる。
ｂ）４つの上側支柱１１２と４つの下側支柱１２１との間の摩擦を最小化し、上昇および下降をより容易にすることができる。
ｃ）４つの上側支柱１１２および４つの下側支柱１２１の露出した接合部を保護し、さびを防止し、寿命を増加させることができる。
ｄ）４つの上側支柱１１２および４つの下側支柱１２１を一緒に接合し、支柱のための追加の強度および支持を提供することができる。
１１）新しい発明のなおもまたなおさらなる目的は、ロープおよび杭孔１４０を有する調節可能中心天蓋・調節可能リング天蓋・調節可能周辺オーニング・単一中心内面正方形ロック・ポップアップを提供することである。したがって、調節可能中心天蓋・調節可能リング天蓋・調節可能周辺オーニング・単一中心内面正方形ロック・ポップアップは、
ａ）それにロープ１４１を通すために使用され、滑車輪またはフックのいずれかと共に使用することができる。
ｂ）地面の中に杭１４２を差し込むために使用され、調節可能中心天蓋・調節可能リング天蓋・調節可能周辺オーニング・単一中心内面正方形ロック・ポップアップを地面に固定することができる。
ｃ）ロープ滑車として使用され、他の滑車輪１４５およびロープ１４１と共に使用されることができる。
ｄ）ロープ１４１のための結びつけ場所として使用され、ロープ１４１および滑車輪１４５のためのカスタマイズ選択肢を増加させることができる。
１２）新しい発明のなおもまたなおさらなる目的は、フック１３９を有する調節可能中心天蓋・調節可能リング天蓋・調節可能周辺オーニング・単一中心内面正方形ロック・ポップアップを提供することである。したがって、調節可能中心天蓋・調節可能リング天蓋・調節可能周辺オーニング・単一中心内面正方形ロック・ポップアップは、
ａ）フック１３９に天蓋ロープ１４１を引っ掛け、ロープ１４１および全ての天蓋およびオーニングをロックし、それらがスリップすることを妨げることができる。
ｂ）ロープおよび杭孔１４０の場所を提供し、４つの下側支柱１２１を地面に杭打ちすることに役立つことができる。
ｃ）足掛けとして使用され、設営に役立ち、４つの下側支柱１２１を地面の中に差し込むことができる。
ｄ）４つの下側支柱１２１からフック１３９にロープ１４１を引っ掛け、構造を強化し、４つの下側支柱１２１が外に曲がることを妨げることができる。
【図１Ａ】
2021518503.tif 000003
【図１Ｂ】
2021518503.tif 000004
【図１Ｃ】
2021518503.tif 000005
【図１Ｄ】
2021518503.tif 000006
【図２Ａ】
2021518503.tif 000007
【図２Ｂ】
2021518503.tif 000008
【図３】
2021518503.tif 000009
【図４Ａ】
2021518503.tif 000010
【図４Ｂ】
2021518503.tif 000011
【図５】
2021518503.tif 000012
【図６Ａ】
2021518503.tif 000013
【図６Ｂ】
2021518503.tif 000014
【図７】
2021518503.tif 000015
【図８】
2021518503.tif 000016
【図９】
2021518503.tif 000017
【図１０】
2021518503.tif 000018
【図１１】
2021518503.tif 000019
【図１２】
2021518503.tif 000020
【図１３Ａ】
2021518503.tif 000021
【図１３Ｂ】
2021518503.tif 000022
【図１３Ｃ】
2021518503.tif 000023
【図１４】
2021518503.tif 000024
【図１５Ａ】
2021518503.tif 000025
【図１５Ｂ】
2021518503.tif 000026
【図１６Ａ】
2021518503.tif 000027
【図１６Ｂ】
2021518503.tif 000028
【図１７Ａ】
2021518503.tif 000029
【図１７Ｂ】
2021518503.tif 000030
【図１７Ｃ】
2021518503.tif 000031
【図１８Ａ】
2021518503.tif 000032
【図１８Ｂ】
2021518503.tif 000033
【図１８Ｃ】
2021518503.tif 000034
【図１９Ａ】
2021518503.tif 000035
【図１９Ｂ】
2021518503.tif 000036
【図１９Ｃ】
2021518503.tif 000037
【図１９Ｄ】
2021518503.tif 000038
【図１９Ｅ】
2021518503.tif 000039
【図１９Ｆ】
2021518503.tif 000040
【図１９Ｇ】
2021518503.tif 000041
【図１９Ｈ】
2021518503.tif 000042
【図２０Ａ】
2021518503.tif 000043
【図２０Ｂ】
2021518503.tif 000044
【図２０Ｃ】
2021518503.tif 000045
【図２０Ｄ】
2021518503.tif 000046
【図２０Ｅ】
2021518503.tif 000047
【図２０Ｆ】
2021518503.tif 000048
【図２０Ｇ】
2021518503.tif 000049
【図２０Ｈ】
2021518503.tif 000050
【図２１Ａ】
2021518503.tif 000051
【図２１Ｂ】
2021518503.tif 000052
【図２１Ｃ】
2021518503.tif 000053
【図２１Ｄ】
2021518503.tif 000054
【図２２Ａ】
2021518503.tif 000055
【図２２Ｂ】
2021518503.tif 000056
【図２２Ｃ】
2021518503.tif 000057
【図２３】
2021518503.tif 000058
【図２４Ａ】
2021518503.tif 000059
【図２４Ｂ】
2021518503.tif 000060
【図２４Ｃ】
2021518503.tif 000061
【図２４Ｄ】
2021518503.tif 000062
【図２５Ａ】
2021518503.tif 000063
【図２５Ｂ】
2021518503.tif 000064
【図２６Ａ】
2021518503.tif 000065
【図２６Ｂ】
2021518503.tif 000066
【図２７Ａ】
2021518503.tif 000067
【図２７Ｂ】
2021518503.tif 000068
【図２７Ｃ】
2021518503.tif 000069
【図２７Ｄ】
2021518503.tif 000070
【図２７Ｅ】
2021518503.tif 000071
【図２７Ｆ】
2021518503.tif 000072
【図２８Ａ】
2021518503.tif 000073
【図２８Ｂ】
2021518503.tif 000074
【図２８Ｃ】
2021518503.tif 000075
【図２８Ｄ】
2021518503.tif 000076
【国際調査報告】
2021518503.tif 000077